(57)【特許請求の範囲】
【請求項１】
製氷をするための製氷温度帯域にコントロールされる製氷室と、
前記製氷室の外部に設けられ、水を貯えるタンクと、
前記製氷室の外部に設けられ、次の１）密閉モードと２）貯水モードと３）排水モードのそれぞれにされる中空状の脱気容器と、
１）外部から内部に空気が進入不能であって内部から外部に空気が脱出可能な密閉モード
２）前記タンク内から水を注入可能であって当該水を貯留可能な貯水モード
３）内部から外部に水を排出可能な排水モード
前記脱気容器の貯水モードで前記タンク内から前記脱気容器内に水を注入することで前記脱気容器内に当該水を貯留するものであって、当該水の注入を前記脱気容器内に空間が残るように行う注水器と、
前記脱気容器内に水が注入された場合に前記脱気容器を貯水モードから密閉モードに切換える密閉手段と、
前記脱気容器の密閉モードで残りの空間から前記脱気容器の外部に空気を排出することで残りの空間を空気の排出前に比べて低圧な減圧状態にする減圧器と、
前記脱気容器の残りの空間が減圧状態にされてから前記脱気容器内の水中に残存する気体が残りの空間に放出されるように残りの空間を減圧状態に維持する脱気期間が経過した場合に前記脱気容器を密閉モードから排水モードに切換えることで前記脱気容器内から水を排出する排水手段と、
前記製氷室内に設けられ、前記脱気容器内から排出された水を受けるものであって当該水を前記製氷室内の冷気で凍結させることで製氷をする製氷皿を備え、
前記脱気容器は、前記タンク内から前記脱気容器内に水を注入可能であって当該水を前記脱気容器内から排出可能な排水モードにされるものであり、
前記注水器は、前記製氷皿内に水および氷のそれぞれが存在せずに前記タンク内および前記脱気容器内のそれぞれにも水が存在しない状態では前記タンク内に水が補給された場合に前記脱気容器の排水モードで前記タンク内の水を前記製氷皿内に前記脱気容器内を通して供給することを特徴とする製氷装置。
【請求項２】
製氷をするための製氷温度帯域にコントロールされる製氷室と、
前記製氷室の外部に設けられ、水を貯えるタンクと、
前記製氷室の外部に設けられ、次の１）密閉モードと２）貯水モードと３）排水モードのそれぞれにされる中空状の脱気容器と、
１）外部から内部に空気が進入不能であって内部から外部に空気が脱出可能な密閉モード
２）前記タンク内から水を注入可能であって当該水を貯留可能な貯水モード
３）前記タンク内から水を注入可能であって当該水を内部から外部に排出可能な排水モード
製氷モードを通常製氷モードおよび透明製氷モードのそれぞれに設定する製氷モード設定手段と、
製氷モードが通常製氷モードに設定されている状態では前記脱気容器の排水モードで前記タンク内の水を前記脱気容器内に注入することで前記脱気容器内から排出し、製氷モードが透明製氷モードに設定されている状態では前記脱気容器の貯水モードで前記タンク内から前記脱気容器内に水を注入することで前記脱気容器内に当該水を貯留するものであって当該水の注入を前記脱気容器内に空間が残るように行う注水器と、
製氷モードが透明製氷モードに設定されている状態では前記脱気容器内に水が注入された場合に前記脱気容器を貯水モードから密閉モードに切換える密閉手段と、
製氷モードが透明製氷モードに設定されている状態では前記脱気容器が貯水モードから密閉モードに切換えられた場合に前記脱気容器の密閉モードで残りの空間から前記脱気容器の外部に空気を排出することで残りの空間を空気の排出前に比べて低圧な減圧状態にする減圧器と、
製氷モードが透明製氷モードに設定されている状態では前記脱気容器を密閉モードから排水モードに切換えることで前記脱気容器内から水を排出する排水手段と、
前記製氷室内に設けられ、製氷モードが通常製氷モードに設定されている状態および透明製氷モードに設定されている状態のそれぞれに前記脱気容器内から排出された水を受けるものであって当該水を前記製氷室内の冷気で凍結させることで製氷をする製氷皿と、
前記製氷皿内の水が凍結することで製氷が終了した場合に前記製氷皿に外力を加えることで前記製氷皿内から氷を剥離する離氷手段を備え、
前記排水手段は、
製氷モードが透明製氷モードに設定されている状態では前記製氷皿内から氷が剥離された場合に前記脱気容器を密閉モードから排水モードに切換えることで前記脱気容器内から前記製氷皿内に水を排出するものであって、前記脱気容器の残りの空間が減圧状態にされてから前記製氷皿内から氷が剥離されるまでは前記脱気容器を密閉モードにすることで残りの空間を減圧状態に維持するものであることを特徴とする製氷装置。
【請求項３】
前記製氷皿内に水または氷が残されていると共に前記脱気容器内に水が残されていない状態で製氷モードが通常製氷モードから透明製氷モードに切換えられた場合には、
前記注水器は前記脱気容器の貯水モードで前記タンク内から前記脱気容器内に空間が残るように水を注入し、
前記密閉手段は前記脱気容器内に水が注入された場合に前記脱気容器を貯水モードから密閉モードに切換え、
前記減圧器は前記脱気容器の密閉モードで残りの空間から前記脱気容器の外部に空気を排出することで残りの空間を減圧状態とし、
前記排水手段は、直前の通常製氷モードでの前記製氷皿内の水が凍結して前記製氷皿内から氷が剥離された場合または直前の通常製氷モードでの前記製氷皿内の氷が前記製氷皿内から剥離された場合に前記脱気容器を密閉モードから排水モードに切換えることで透明製氷モードで前記脱気容器内に注入された水を前記製氷皿内に排出することを特徴とする請求項２に記載の製氷装置。
【請求項４】
前記製氷皿内に水または氷が残されていると共に前記脱気容器内に水が残されていない状態で製氷モードが通常製氷モードから透明製氷モードに切換えられた場合には、
前記注水器は前記脱気容器の貯水モードで前記タンク内から前記脱気容器内に空間が残るように水を注入し、
前記密閉手段は前記脱気容器内に水が注入された場合に前記脱気容器を貯水モードから密閉モードに切換え、
前記減圧器は前記脱気容器の密閉モードで残りの空間から前記脱気容器の外部に空気を排出することで残りの空間を減圧状態とし、
前記排水手段は、
前記脱気容器の残りの空間が減圧状態にされてから予め決められた一定時間が経過したか否かを判断し、当該一定時間が経過したと判断した場合に前記脱気容器を密閉モードから排水モードに切換えることで透明製氷モードで前記脱気容器内に注入された水を前記製氷皿内に排出することを特徴とする請求項２に記載の製氷装置。
【請求項５】
前記製氷皿内に水または氷が残されていると共に前記脱気容器内に水が残されている状態で製氷モードが透明製氷モードから通常製氷モードに切換えられた場合には、
前記排水手段は、
前記脱気容器を密閉モードに維持するものであって、直前の透明製氷モードでの前記製氷皿内の水が凍結して前記製氷皿内から氷が剥離された場合または直前の透明製氷モードでの前記製氷皿内の氷が前記製氷皿内から剥離された場合に前記脱気容器を密閉モードから排水モードに切換えることで直前の透明製氷モードで前記脱気容器内に注入された水を通常製氷モードで前記製氷皿内に排出することを特徴とする請求項２から４の何れか１項に記載の製氷装置。
【請求項６】
前記注水器が前記タンク内の水を前記脱気容器内に注入することを禁止する製氷停止モードをオン状態およびオフ状態相互間で切換える製氷停止モード設定手段を備え、
製氷モードが透明製氷モードに設定されている状態であって前記製氷皿内に水または氷が残されていると共に前記脱気容器内に水が残されている状態で製氷停止モードがオフ状態からオン状態に切換えられた場合には、
前記排水手段は前記製氷皿内の水が凍結して前記製氷皿内から氷が剥離された場合または前記製氷皿内の氷が前記製氷皿内から剥離された場合に前記脱気容器を密閉モードから排水モードに切換えることで前記脱気容器内の水を製氷停止モードのオン状態で前記製氷皿内に排出することを特徴とする請求項２から５の何れか１項に記載の製氷装置。
【請求項７】
前記製氷皿内から剥離された氷を受ける貯氷容器と、
前記貯氷容器内の氷が予め決められた満杯高さに到達しているか否かを検出するスイッチを備え、
前記離氷手段は、
製氷停止モードのオフ状態で前記貯氷容器内の氷が満杯高さに到達していると検出されている場合には製氷が終了した場合であっても前記製氷皿内から氷を剥離せず、
製氷停止モードのオン状態では前記貯氷容器内の氷が満杯高さに到達していると検出されているか否かに拘らず製氷が終了した場合に前記製氷皿内から氷を剥離することを特徴とする請求項２から６の何れか１項に記載の製氷装置。
【請求項８】
前記注水器が前記タンク内の水を前記脱気容器内に注入することを禁止する製氷停止モードをオン状態およびオフ状態相互間で切換える製氷停止モード設定手段を備え、
前記製氷皿内に水および氷のそれぞれが残されておらずに前記脱気容器内に水が残されていない状態で製氷停止モードがオン状態からオフ状態に切換えられることで透明製氷モードが開始される場合には、
前記注水器は前記脱気容器の排水モードで前記タンク内の水を前記脱気容器内に注入することで前記脱気容器内から前記製氷皿内に供給することを特徴とする２から７の何れか１項に記載の製氷装置。
【請求項９】
前記注水器が前記タンク内の水を前記脱気容器内に注入することを禁止する製氷停止モードをオン状態およびオフ状態相互間で切換える製氷停止モード設定手段を備え、
前記製氷皿内に水および氷のそれぞれが残されておらずに前記脱気容器内に水が残されていない状態で製氷停止モードがオン状態からオフ状態に切換えられることで透明製氷モードが開始される場合には、
前記注水器は前記脱気容器の貯水モードで前記タンク内から前記脱気容器内に空間が残るように水を注入し、
前記密閉手段は前記脱気容器内に水が注入された場合に前記脱気容器を貯水モードから密閉モードに切換え、
前記減圧器は前記脱気容器の密閉モードで残りの空間から前記脱気容器の外部に空気を排出することで残りの空間を減圧状態とし、
前記排水手段は、
前記脱気容器の残りの空間が減圧状態にされてから予め決められた一定時間が経過したか否かを判断し、当該一定時間が経過したと判断した場合に前記脱気容器を密閉モードから排水モードに切換えることで透明製氷モードで前記脱気容器内に注入された水を前記製氷皿内に排出することを特徴とする請求項２から８の何れか１項に記載の製氷装置。
【発明の詳細な説明】
【技術分野】
【０００１】
本発明は製氷皿内の水を製氷室内の冷気で凍結させることで製氷をする製氷装置に関する。
【背景技術】
【０００２】
特許文献１には製氷皿を上から蓋で覆い、製氷皿内の水の上方に脱気空間を形成することが記載されている。この特許文献１は脱気空間の内部から外部に空気を排出することで脱気空間を減圧するものであり、製氷皿内の水中の残留気泡は圧力差で減圧状態の脱気空間に放出される。この特許文献１は製氷皿内の水から残留気泡を除去した後に製氷皿内の水を凍結させるものであり、製氷皿内の水を残留気泡が残ったまま凍結させる場合に比べて氷の透明度を高めることができる。
【先行技術文献】
【特許文献】
【０００３】
【特許文献１】特開２００９−２４３８２６号公報
【発明の概要】
【発明が解決しようとする課題】
【０００４】
本件出願人は特願２０１０−０５３０１８でタンク内から製氷皿内に水を注入する注入経路の途中に脱気容器を介在することを提案した。この脱気容器はタンク内から注入される水を貯留するものであり、水中の残留気泡は脱気容器内で除去され、製氷皿内には脱気容器内から残留気泡が除去された水が注入される。本発明は脱気容器内で水中から残留気泡を除去した後に脱気容器内から製氷皿内に残留気泡が除去された水を注入するための具体的構成を提案するものである。
【課題を解決するための手段】
【０００５】
請求項１記載の製氷装置は、製氷をするための製氷温度帯域にコントロールされる製氷室と、前記製氷室の外部に設けられ水を貯えるタンクと、前記製氷室の外部に設けられ「外部から内部に空気が進入不能であって内部から外部に空気が脱出可能な密閉モード」と「前記タンク内から水を注入可能であって当該水を貯留可能な貯水モード」と「内部から外部に水を排出可能な排水モード」のそれぞれにされる中空状の脱気容器と、前記脱気容器の貯水モードで前記タンク内から前記脱気容器内に水を注入することで前記脱気容器内に当該水を貯留するものであって当該水の注入を前記脱気容器内に空間が残るように行う注水器と、前記脱気容器内に水が注入された場合に前記脱気容器を貯水モードから密閉モードに切換える密閉手段と、前記脱気容器の密閉モードで残りの空間から前記脱気容器の外部に空気を排出することで残りの空間を空気の排出前に比べて低圧な減圧状態にする減圧器と、前記脱気容器の残りの空間が減圧状態にされてから前記脱気容器内の水中に残存する気体が残りの空間に放出されるように残りの空間を減圧状態に維持する脱気期間が経過した場合に前記脱気容器を密閉モードから排水モードに切換えることで前記脱気容器内から水を排出する排水手段と、前記製氷室内に設けられ前記脱気容器内から排出された水を受けるものであって当該水を前記製氷室内の冷気で凍結させることで製氷をする製氷皿を備え、前記脱気容器は、前記タンク内から前記脱気容器内に水を注入可能であって当該水を前記脱気容器内から排出可能な排水モードにされるものであり、前記注水器は、前記製氷皿内に水および氷のそれぞれが存在せずに前記タンク内および前記脱気容器内のそれぞれにも水が存在しない状態では前記タンク内に水が補給された場合に前記脱気容器の排水モードで前記タンク内の水を前記製氷皿内に前記脱気容器内を通して供給するところに特徴を有する。
【０００６】
請求項２記載の製氷装置は、製氷をするための製氷温度帯域にコントロールされる製氷室と、前記製氷室の外部に設けられ水を貯えるタンクと、前記製氷室の外部に設けられ「外部から内部に空気が進入不能であって内部から外部に空気が脱出可能な密閉モード」と「前記タンク内から水を注入可能であって当該水を貯留可能な貯水モード」と「前記タンク内から水を注入可能であって当該水を内部から外部に排出可能な排水モード」のそれぞれにされる中空状の脱気容器と、製氷モードを通常製氷モードおよび透明製氷モードのそれぞれに設定する製氷モード設定手段と、製氷モードが通常製氷モードに設定されている状態では前記脱気容器の排水モードで前記タンク内の水を前記脱気容器内に注入することで前記脱気容器内から排出し製氷モードが透明製氷モードに設定されている状態では前記脱気容器の貯水モードで前記タンク内から前記脱気容器内に水を注入することで前記脱気容器内に当該水を貯留するものであって当該水の注入を前記脱気容器内に空間が残るように行う注水器と、製氷モードが透明製氷モードに設定されている状態では前記脱気容器内に水が注入された場合に前記脱気容器を貯水モードから密閉モードに切換える密閉手段と、製氷モードが透明製氷モードに設定されている状態では前記脱気容器が貯水モードから密閉モードに切換えられた場合に前記脱気容器の密閉モードで残りの空間から前記脱気容器の外部に空気を排出することで残りの空間を空気の排出前に比べて低圧な減圧状態にする減圧器と、製氷モードが透明製氷モードに設定されている状態では前記脱気容器を密閉モードから排水モードに切換えることで前記脱気容器内から水を排出する排水手段と、前記製氷室内に設けられ製氷モードが通常製氷モードに設定されている状態および透明製氷モードに設定されている状態のそれぞれに前記脱気容器内から排出された水を受けるものであって当該水を前記製氷室内の冷気で凍結させることで製氷をする製氷皿と、前記製氷皿内の水が凍結することで製氷が終了した場合に前記製氷皿に外力を加えることで前記製氷皿内から氷を剥離する離氷手段を備え、前記排水手段は製氷モードが透明製氷モードに設定されている状態では前記製氷皿内から氷が剥離された場合に前記脱気容器を密閉モードから排水モードに切換えることで前記脱気容器内から前記製氷皿内に水を排出するものであって前記脱気容器の残りの空間が減圧状態にされてから前記製氷皿内から氷が剥離されるまでは前記脱気容器を密閉モードにすることで残りの空間を減圧状態に維持するものであるところに特徴を有する。
【発明の効果】
【０００７】
１．請求項１記載の製氷装置の説明
注水器はタンク内の水を脱気容器の貯水モードで脱気容器内に注入するものである。この貯水モードは水を注入および貯留することのそれぞれが可能な状態であり、貯水モードで注水器から脱気容器内に水が注入された場合には脱気容器内に水が貯留され、脱気容器内に水の残余の空間が残される。この脱気容器内に水が注入された場合には脱気容器が貯水モードから密閉モードに切換えられる。この密閉モードは空気が脱気容器の外部から内部に進入不能で内部から外部に脱出可能な状態であり、脱気容器が密閉モードに切換えられた場合には脱気容器の空間から脱気容器の外部に空気が排出されることで空間が空気の排出前に比べて低圧な減圧状態になる。この脱気容器の空間が減圧状態にされてから脱気期間が経過した場合には脱気容器が密閉モードから排水モードに切換えられる。この脱気期間は脱気容器内の水中に残存する気体が空間に放出されるように空間を減圧状態に維持する期間であり、排水モードは脱気容器の内部から外部に水を排出可能な状態であり、脱気容器内の水は脱気期間が開始されてから終了するまでに残存する気体が空間に放出されることで脱気され、脱気済の水は脱気容器が密閉モードから排水モードに切換えられることで製氷皿内に注入される。このため、製氷皿内の水が気体の除去状態で凍結するので、気体が残ったまま凍結する場合に比べて氷の透明度が高くなる。
２．請求項２記載の製氷装置の説明
製氷モードが透明製氷モードに設定されている状態ではタンク内の水が脱気容器の貯水モードで脱気容器内に注入される。この脱気容器内に水が注入された場合には脱気容器が貯水モードから密閉モードに切換えられ、脱気容器の密閉モードで空間から空気が排出される。この脱気容器は製氷皿から氷が剥離された場合に密閉モードから排水モードに切換えられるものであり、脱気容器が密閉モードから排水モードに切換えられた場合には脱気容器内の水が製氷皿内に注入される。製氷モードが通常製氷モードに設定されている状態ではタンク内の水が脱気容器の排水モードで製氷皿内に脱気容器内を通して注入される。即ち、透明製氷モードの設定状態では脱気容器の空間が減圧状態にされたことを基準に製氷皿から氷が剥離されるまで減圧状態に維持されるので、脱気容器内から製氷皿内に脱気済の水が注入されることで通常製氷モードの設定状態に比べて透明度が高い氷が製氷される。通常製氷モードの設定状態ではタンク内から製氷皿内に未脱気の水が注入されるので、透明製氷モードの設定状態に比べて透明度が低い氷が製氷される。
【図面の簡単な説明】
【０００８】
【図１】冷蔵庫の内部構成を示す断面図
【図２】電気的な構成を示す図
【図３】冷凍サイクルを示す図
【図４】給水タンクの内部構成を示す断面図
【図５】脱気容器の配管を示す図
【図６】制御回路の透明製氷処理を示すフローチャート
【図７】製氷の流れを示す図
【図８】溶存酸素量の経時変化を示す図
【図９】実施例２を示す図６相当図
【図１０】溶存酸素量の経時変化を示す図
【図１１】実施例３を示す図（制御回路の通常製氷処理を示すフローチャート）
【図１２】実施例４を示す図（制御回路の透明製氷モード移行処理を示すフローチャート）
【図１３】実施例５を示す図１１相当図
【図１４】実施例６を示す図１０相当図
【図１５】図６相当図
【図１６】実施例７を示す図（制御回路の製氷ＯＦＦ処理を示すフローチャート）
【図１７】実施例８を示す図１４相当図
【図１８】制御回路の脱気処理を示すフローチャート
【図１９】実施例９を示す図１５相当図
【発明を実施するための形態】
【０００９】
【実施例１】
【００１０】
キャビネット１は、図１に示すように、前面が開口する縦長な長方形状をなすものであり、底壁と左側壁と右側壁と天壁と後壁を有している。このキャビネット１は外箱の内部に内箱を収納し、外箱および内箱相互間の隙間に断熱材を充填することから構成されたものであり、キャビネット１の内部には水平な上断熱仕切壁２が固定されている。この上断熱仕切壁２は中空状のケース内に固形状の断熱材を収納することから構成されたものであり、キャビネット１の内部には上断熱仕切壁２の上方に位置して冷蔵室３が形成されている。この冷蔵室３は前面が開口するものであり、キャビネット１には冷蔵室３の前方に位置してＲドア４が装着されている。このＲドア４は使用者が閉鎖状態および開放状態相互間で操作することが可能なものであり、冷蔵室３の前面はＲドア４の閉鎖状態で気密状態に閉鎖され、Ｒドア４の開放状態で冷蔵室３内に対して食品を出し入れすることが可能に開放される。
【００１１】
キャビネット１にはＲ扉スイッチ５（図２参照）が固定されている。このＲ扉スイッチ５はオン状態およびオフ状態相互間で電気的な状態が変化するものであり、Ｒドア４が閉鎖状態にされている場合にオン状態になり、Ｒドア４が閉鎖状態にされていない場合にオフ状態になる。冷蔵室３の室壁にはＲ冷気吸込口およびＲ冷気吐出口のそれぞれが固定されており、冷蔵室３内はＲドア４の閉鎖状態でＲ冷気吐出口から冷気が吐出されることで食品を冷蔵保存することが可能な冷蔵温度帯域にコントロールされる。この冷蔵室３内にはＲ温度センサ６（図２参照）が固定されており、Ｒ温度センサ６は冷蔵室３内の温度に応じた大きさの温度信号を出力する。
【００１２】
キャビネット１の内部には、図１に示すように、上断熱仕切壁２の下方に位置して水平な中断熱仕切壁７が固定され、中断熱仕切壁７の下方に位置して水平な下断熱仕切壁８が固定されている。これら中断熱仕切壁７および下断熱仕切壁８のそれぞれは中空状のケース内に固形状の断熱材を収納することから構成されたものであり、キャビネット１の内部には中断熱仕切壁７および下断熱仕切壁８相互間に位置して野菜室９が形成されている。この野菜室９は前面が開口するものであり、キャビネット１には野菜室９の前方に位置してＶドア１０が装着されている。このＶドア１０は使用者が閉鎖状態および開放状態相互間で操作することが可能なものであり、野菜室９の前面はＶドア１０の閉鎖状態で気密状態に閉鎖され、Ｖドア１０の開放状態で野菜室９内に対して食品を出し入れすることが可能に開放される。この野菜室９の室壁にはＶ冷気吸込口およびＶ冷気吐出口のそれぞれが固定されており、野菜室９内はＶドア１０の閉鎖状態でＶ冷気吐出口から冷気が吐出されることで食品を冷蔵保存することが可能な冷蔵温度帯域にコントロールされる。
【００１３】
キャビネット１の内部には、図１に示すように、下断熱仕切壁８の下方に位置して冷凍室１１が形成されている。この冷凍室１１は前面が開口するものであり、キャビネット１には冷凍室１１の前方に位置してＦドア１２が装着されている。このＦドア１２は使用者が閉鎖状態および開放状態相互間で操作することが可能なものであり、冷凍室１１の前面はＦドア１２の閉鎖状態で気密状態に閉鎖され、Ｆドア１２の開放状態で冷凍室１１内に対して食品を出し入れすることが可能に開放される。この冷凍室１１の室壁にはＦ冷気吸込口およびＦ冷気吐出口のそれぞれが固定されており、冷凍室１１内はＦドア１２の閉鎖状態でＦ冷気吐出口から冷気が吐出されることで食品を冷凍保存することが可能な冷凍温度帯域（＜冷蔵温度帯域）にコントロールされる。この冷凍室１１内にはＦ温度センサ１３（図２参照）が固定されており、Ｆ温度センサ１３は冷凍室１１内の温度に応じた大きさの温度信号を出力する。
【００１４】
キャビネット１の内部には、図１に示すように、上断熱仕切壁２および中断熱仕切壁７相互間に位置して製氷室１４が形成されている。この製氷室１４は前面が開口するものであり、キャビネット１には製氷室１４の前方に位置してＩドア１５が装着されている。このＩドア１５は使用者が閉鎖状態および開放状態相互間で操作することが可能なものであり、製氷室１４の前面はＩドア１５の閉鎖状態で気密状態に閉鎖され、Ｉドア１５の開放状態で製氷室１４内から氷を取出すことが可能に開放される。この製氷室１４の室壁にはＩ冷気吸込口およびＩ冷気吐出口のそれぞれが固定されており、製氷室１４内はＩドア１５の閉鎖状態でＩ冷気吐出口から冷気が吐出されることで水を凍結させることが可能な製氷温度帯域（＝冷凍温度帯域）にコントロールされる。
【００１５】
キャビネット１には、図１に示すように、冷凍室１１の後方に位置して機械室１７が形成されている。この機械室１７はキャビネット１の外部に通じるものであり、機械室１７内には冷凍サイクルのコンプレッサ１８が固定されている。このコンプレッサ１８はコンプモータ１９（図２参照）を駆動源とするものである。このコンプレッサ１８は冷媒を吐出する吐出口および冷媒を吸込む吸込口を有するものであり、コンプモータ１９の運転状態で吐出口からコンプモータ１９の回転速度に応じた流量で冷媒を吐出する。
【００１６】
キャビネット１には、図１に示すように、Ｒダクト２０が固定されている。このＲダクト２０はＲ冷気吸込口とＲ冷気吐出口とＶ冷気吸込口とＶ冷気吐出口のそれぞれに接続されたものであり、Ｒダクト２０内にはＲファンモータ２１（図２参照）が固定されている。このＲファンモータ２１の回転軸にはＲファンが固定されており、Ｒファンモータ２１の運転状態ではＲファンが回転することで冷蔵室３内の空気がＲ冷気吸込口からＲダクト２０内に吸引され、野菜室９内の空気がＶ冷気吸込口からＲダクト２０内に吸引される。これら両空気のそれぞれはＲダクト２０内を流れた後にＲ冷気吐出口から冷蔵室３内に吐出され、Ｖ冷気吐出口から野菜室９内に吐出される。
【００１７】
キャビネット１には、図１に示すように、Ｆダクト２２が固定されている。このＦダクト２２はＦ冷気吸込口とＦ冷気吐出口とＩ冷気吸込口とＩ冷気吐出口のそれぞれに接続されたものであり、Ｆダクト２２内にはＦファンモータ２３が固定されている。このＦファンモータ２３の回転軸にはＦファン２４が固定されており、Ｆファンモータ２３の運転状態ではＦファン２４が回転することで冷凍室１１内の空気がＦ冷気吸込口からＦダクト２２内に吸引され、製氷室１４内の空気がＩ冷気吸込口からＦダクト２２内に吸引される。これら両空気のそれぞれはＦダクト２２内を流れた後にＦ冷気吐出口から冷凍室１１内に吐出され、Ｉ冷気吐出口から製氷室１４内に吐出される。
【００１８】
コンプレッサ１８の吐出口には、図３に示すように、冷凍サイクルのコンデンサ２５が接続されている。このコンデンサ２５はコンプモータ１９の運転状態でコンプレッサ１８の吐出口から吐出された冷媒が進入するものであり、冷媒はコンデンサ２５内で凝縮する。Ｒダクト２０内には冷凍サイクルのＲエバポレータ２６が固定され、Ｆダクト２２内には冷凍サイクルのＦエバポレータ２７が固定されており、Ｒエバポレータ２６およびＦエバポレータ２７のそれぞれは流路バルブ２８を介してコンデンサ２５に接続されている。この流路バルブ２８はパルスモータからなるバルブモータ２９（図２参照）を駆動源とするものであり、ＲポートおよびＦポートを有している。この流路バルブ２８はバルブモータ２９が原点位置から正方向へ回転操作されることでＲポートを開放し、バルブモータ２９が原点位置から逆方向へ回転操作されることでＦポートを開放するものであり、Ｒポートの開放量はバルブモータ２９の原点位置を基準する正方向への回転量に応じて制御され、Ｆポートの開放量はバルブモータ２９の原点位置を基準する逆方向への回転量に応じて制御される。
【００１９】
流路バルブ２８のＲポートは、図３に示すように、Ｒエバポレータ２６に接続されたものであり、流路バルブ２８のＲポートが開放されたＲモードではコンデンサ２５内を通過した冷媒がＲエバポレータ２６内で蒸発した後にコンプレッサ１８の吸込口に戻る。この流路バルブ２８のＲモードでＲファンモータ２１が運転されている状態ではＲエバポレータ２６がＲダクト２０内を流れる空気を冷却することでＲ冷気吐出口から冷蔵室３内に冷気が吐出され、Ｖ冷気吐出口から野菜室９内に冷気が吐出される。流路バルブ２８のＦポートはＦエバポレータ２７に接続されたものであり、流路バルブ２８のＦポートが開放されたＦモードではコンデンサ２５内を通過した冷媒がＦエバポレータ２７内で蒸発した後にコンプレッサ１８の吸込口に戻る。この流路バルブ２８のＦモードでＦファンモータ２３が運転されている状態ではＦエバポレータ２７がＦダクト２２内を流れる空気を冷却することでＦ冷気吐出口から冷凍室１１内に冷気が吐出され、Ｉ冷気吐出口から製氷室１４内に冷気が吐出される。
【００２０】
図２の制御回路３０はＣＰＵとＲＯＭとＲＡＭを有するものであり、密閉手段と排水手段と製氷モード設定手段と製氷停止モード設定手段のそれぞれに相当する。この制御回路３０のＲＯＭには運転制御プログラムおよび運転制御データのそれぞれが予め記録されており、制御回路３０のＣＰＵはモータ駆動回路３１を運転制御プログラムおよび運転制御データのそれぞれに応じて電気的に制御することでコンプモータ１９を回転操作し、モータ駆動回路３２を運転制御プログラムおよび運転制御データのそれぞれに応じて電気的に制御することでＲファンモータ２１を回転操作し、モータ駆動回路３３を運転制御プログラムおよび運転制御データのそれぞれに応じて電気的に制御することでＦファンモータ２３を回転操作し、モータ駆動回路３４を運転制御プログラムおよび運転制御データのそれぞれに応じて電気的に制御することでバルブモータ２９を回転操作する。
【００２１】
制御回路３０のＣＰＵはＲ温度センサ６からの温度信号およびＦ温度センサ１３からの温度信号の双方に基づいてバルブモータ２９の回転方向を制御することで流路バルブ２８をＲモードおよびＦモード相互間で切換え、バルブモータ２９の正方向の回転量を制御することでＲエバポレータ２６に対する冷媒の流量を制御し、バルブモータ２９の逆方向の回転量を制御することでＦエバポレータ２７に対する冷媒の流量を制御するものである。この制御回路３０のＣＰＵは流路バルブ２８のＲモードでＲファンモータ２１を運転状態にし、流路バルブ２８のＦモードでＦファンモータ２３を運転状態にするものであり、冷蔵室３内は流路バルブ２８のＲモードでバルブモータ２９の回転量が制御されることで冷蔵温度帯域に直接的にコントロールされ、冷凍室１１内は流路バルブ２８のＦモードでバルブモータ２９の回転量が制御されることで冷凍温度帯域に直接的にコントロールされ、野菜室９内は冷蔵室３内が冷蔵温度帯域にコントロールされることに連動して間接的に冷蔵温度帯域にコントロールされ、製氷室１４内は冷凍室１１内が冷凍温度帯域にコントロールされることに連動して製氷温度帯域に間接的にコントロールされる。
【００２２】
製氷室１４内には、図１に示すように、ユニットケース３５が固定されており、ユニットケース３５には製氷皿３６が装着されている。この製氷皿３６は一面が開口する容器状の複数の製氷ブロックを有するものであり、複数の製氷ブロックのそれぞれの一面が上方へ指向する製氷位置および下方へ指向する離氷位置相互間で前後方向へ指向する軸を中心に回転可能にされている。これら複数の製氷ブロックのそれぞれは一面を通して注入された水を貯留するものであり、複数の製氷ブロック内のそれぞれの水は製氷室１４内が製氷温度帯域にコントロールされることで凍結する。製氷皿３６には製氷皿３６の外部に位置してＩ温度センサ３７（図２参照）が固定されている。このＩ温度センサ３７は製氷皿３６の特定の製氷ブロックの底面に接触するものであり、特定の製氷ブロックの底面の温度に応じた大きさの温度信号を出力する。
【００２３】
ユニットケース３５内には離氷モータ３８（図２参照）が収納されており、離氷モータ３８の回転軸は製氷皿３６の軸に連結されている。制御回路３０のＣＰＵはモータ駆動回路３９（図２参照）を電気的に制御することで離氷モータ３８を回転操作するものであり、製氷皿３６は離氷モータ３８が回転操作されることで製氷位置および離氷位置相互間で回転操作される。ユニットケース３５にはストッパが固定されている。このストッパは製氷皿３６が製氷位置から離氷位置に回転する途中で接触するものであり、製氷皿３６はストッパに接触することでストッパに接触する前の自然形状から捻れ形状に弾性変形し、複数の製氷ブロック内のそれぞれの氷は製氷皿３６が自然形状から捩れ形状に弾性変形することで製氷ブロックの内面から剥離する。即ち、ストッパは製氷皿３６に外力を加えることで製氷皿３６内から氷を剥離するものであり、離氷手段に相当する。
【００２４】
製氷室１４内には、図１に示すように、アイスボックス４０が着脱可能に収納されている。このアイスボックス４０は製氷皿３６の下方に配置されたものであり、製氷皿３６が製氷位置から離氷位置に到達した場合には複数の製氷ブロックのそれぞれの内面から剥離した氷がアイスボックス４０内に落下する。このアイスボックス４０は貯氷容器に相当する。ユニットケース３５には検知レバー４１が水平な軸４２を中心に回転可能に装着されている。この検知レバー４１はアイスボックス４０内の氷に上方から接触する状態に自重で傾斜するものであり、検知レバー４１の傾斜角度はアイスボックス４０内の氷の高さに応じて変動する。ユニットケース３５内には検知スイッチ４３（図２参照）が収納されている。この検知スイッチ４３はアイスボックス４０内の氷の高さが一定の満杯値に到達することで検知レバー４１の傾斜角度が限度値に到達した場合に電気的なオフ状態からオン状態に切換わるものであり、制御回路３０のＣＰＵは検知スイッチ４３の電気的な状態に応じてアイスボックス４０内の氷の高さが満杯値に到達しているか否かを判定する。この検知スイッチ４３はスイッチに相当する。
【００２５】
冷蔵室３内には、図４に示すように、給水タンク４４が収納されている。この給水タンク４４は製氷皿３６の複数の製氷ブロック内のそれぞれに給水するための水を貯留するものであり、冷蔵室３内から抜取られた抜取り状態および冷蔵室３内に収納された収納状態相互間で使用者が操作することが可能にされている。この給水タンク４４はタンクに相当するものであり、給水口４５を有している。この給水口４５は給水タンク４４内に水を給水するためのものであり、給水タンク４４内の水は冷蔵室３内の冷気によって凍結することなく冷蔵温度帯域に冷却される。この給水タンク４４には蓋４６が装着されている。この蓋４６は給水口４５を閉鎖する閉鎖状態および給水口４５を開放する開放状態相互間で使用者が操作することが可能にされたものであり、給水タンク４４内には次の手順１〜２）で水が給水される。
１）給水タンク４４を冷蔵室３内から外部に抜取り、給水タンク４４の抜取り状態で蓋４６を閉鎖状態から開放状態に操作する。
２）給水タンク４４内に蓋４６の開放状態で給水口４５を通して水を注入し、蓋４６を開放状態から閉鎖状態に戻す。この蓋４６の閉鎖状態で給水タンク４４を冷蔵室３内に収納する。この水は水道の蛇口または飲用容器から給水タンク４４内に注入されるものであり、酸素を含んでいる。
【００２６】
給水タンク４４内には、図４に示すように、後端部に位置してケーシング４７が固定されている。このケーシング４７は吸水口および吐水口のそれぞれを有するものであり、ケーシング４７内にはインペラー４８が収納されている。このインペラー４８は前後方向へ指向する軸を中心に回転可能にされたものであり、インペラー４８には永久磁石からなるドライブマグネットが固定されている。冷蔵室３内には給水タンク４４の外部に位置して給水ポンプモータ４９が固定されている。この給水ポンプモータ４９は前後方向へ指向する回転軸を有するものであり、給水ポンプモータ４９の回転軸には永久磁石５０が固定されている。この永久磁石５０は給水タンク４４の収納状態でインペラー４８のドライブマグネットに給水タンク４４の壁を介して磁力で結合するものであり、給水タンク４４の収納状態で給水ポンプモータ４９が運転されている場合にはインペラー４８が永久磁石５０を介して回転操作されることで給水タンク４４内の水がケーシング４７の吸水口を通してケーシング４７内に吸引され、ケーシング４７の吐水口から吐出される。この給水ポンプモータ４９は注水器に相当し、ケーシング４７とインペラー４８と給水ポンプモータ４９と永久磁石５０は給水ポンプを構成するものである。
【００２７】
制御回路３０のＣＰＵはモータ駆動回路５１（図２参照）を電気的に制御することで給水ポンプモータ４９を運転状態および運転停止状態相互間で操作するものである。この制御回路３０のＣＰＵは給水ポンプモータ４９を一定の回転速度で一定の運転時間だけ運転状態にするものであり、給水ポンプモータ４９が一定の回転速度で一定の運転時間だけ運転状態にされた場合には製氷皿３６の複数の製氷ブロック内のそれぞれに相互に同一な一定量の水を貯留するだけの一定量の水が給水タンク４４内から吐出される。この給水ポンプモータ４９の運転を単位の運転と称し、給水ポンプモータ４９の単位の運転で給水タンク４４内から吐出される水量を単位量と称し、給水タンク４４はＮ（２以上の整数）×単位量の水を貯留することが可能な容積に設定されている。
【００２８】
ケーシング４７の吐水口には、図４に示すように、給水タンク４４の内部で吐水管５２の入口が接続されている。この吐水管５２の出口は給水タンク４４の外部で下向きに開口しており、ケーシング４７の吐水口から吐出された水は吐水管５２の出口から下向きに吐出される。冷蔵室３内にはホッパー５３が固定されている。このホッパー５３は水の搬送量を制御するものであり、円筒状の径大部および径大部に比べて内径寸法が小さな円筒状の径小部を有している。このホッパー５３の径大部内には吐水管５２の出口が挿入されており、吐水管５２の出口から吐出された水はホッパー５３の径大部内に注入され、ホッパー５３の径小部を通して排出される。
【００２９】
ホッパー５３の径小部には、図４に示すように、入口管５４の上端部が接続されている。この入口管５４は、図５に示すように、上下方向へ指向する直線状をなすものであり、入口管５４には入口弁５５が介在されている。この入口弁５５は入口弁ソレノイド５６（図２参照）を駆動源とする電磁弁からなるものである。この入口弁５５は入口弁ソレノイド５６の電気的なオフ状態で閉鎖状態になるものであり、入口管５４は入口弁５５の閉鎖状態で空気および水のそれぞれが通過不能に閉鎖される。この入口弁５５は入口弁ソレノイド５６の電気的なオン状態で開放状態になるものであり、入口管５４は入口弁５５の開放状態で空気および水のそれぞれが通過可能に開放される。制御回路３０のＣＰＵはソレノイド駆動回路５７（図２参照）を電気的に制御することで入口弁ソレノイド５６をオフ状態およびオン状態相互間で操作するものであり、入口管５４は入口弁ソレノイド５６の電気的な状態が制御されることで閉鎖状態および開放状態相互間で切換えられる。
【００３０】
冷蔵室３内には、図４に示すように、給水タンク４４の後方に位置して脱気容器５８が固定されている。この脱気容器５８は、図５に示すように、円筒状の側板と円板状の天板と円板状の底板で囲まれた中空状をなすものであり、入口管５４の下端部は脱気容器５８の天板に接続されている。この脱気容器５８は水および空気のそれぞれが流通不能に密閉されたものであり、制御回路３０のＣＰＵは入口管５４の開放状態で給水ポンプモータ４９の単位の運転を行うことで給水タンク４４内から入口管５４を通して脱気容器５８内に単位量の水を注入する。
【００３１】
脱気容器５８の底板には、図５に示すように、出口管５９の上端部の入口が接続されている。この出口管５９は後から前に向けて下降する直線状をなすものであり、出口管５９には出口弁６０が介在されている。この出口弁６０は出口弁ソレノイド６１（図２参照）を駆動源とする電磁弁からなるものである。この出口弁６０は出口弁ソレノイド６１の電気的なオフ状態で閉鎖状態になるものであり、出口管５９は出口弁６０の閉鎖状態で空気および水のそれぞれが通過不能に閉鎖される。この出口弁６０は出口弁ソレノイド６１の電気的なオン状態で開放状態になるものであり、出口管５９は出口弁６０の開放状態で空気および水のそれぞれが通過可能に開放される。
【００３２】
制御回路３０のＣＰＵはソレノイド駆動回路６２（図２参照）を電気的に制御することで出口弁ソレノイド６１をオフ状態およびオン状態相互間で操作するものであり、出口管５９は出口弁ソレノイド６１の電気的な状態が制御されることで閉鎖状態および開放状態相互間で切換えられる。この制御回路３０のＣＰＵは入口弁ソレノイド５６および出口弁ソレノイド６１のそれぞれの電気的な状態を制御することで脱気容器５８を減圧モードと貯水モードと排水モード相互間で切換えるものである。減圧モードは入口管５４および出口管５９のそれぞれの閉鎖状態であり、貯水モードは入口管５４の開放状態および出口管５９の閉鎖状態であり、排水モードは入口管５４および出口管５９のそれぞれの開放状態であり、制御回路３０のＣＰＵは脱気容器５８内に水が貯留されていない空の状態で脱気容器５８を貯水モードに切換え、脱気容器５８の貯水モードで給水ポンプモータ４９の単位の運転を行うことで脱気容器５８内および出口管５９内の双方に単位量の水を貯留する。これら脱気容器５８内および出口管５９内に単位量の水が貯留された状態では、図５に示すように、脱気容器５８内の上半部に水が貯留されていない脱気空間が形成される。
【００３３】
Ｒダクト２０内には、図４に示すように、減圧ポンプ６３が固定されている。この減圧ポンプ６３は減圧ポンプモータ６４（図２参照）を駆動源とするものであり、吸気口および排気口を有している。この減圧ポンプ６３は減圧ポンプモータ６４の運転状態で空気を吸気口から吸引して排気口から排出するものであり、減圧ポンプ６３の排気口には排気管の一端部が接続されている。この排気管の他端部はキャビネット１の外部に通じており、減圧ポンプ６３の排気口から排出された空気は排気管を通してキャビネット１の外部に排出される。制御回路３０のＣＰＵはモータ駆動回路６５（図２参照）を電気的に制御することで減圧ポンプモータ６４を運転状態および運転停止状態相互間で操作するものである。この制御回路３０のＣＰＵは減圧ポンプモータ６４を一定の回転速度で運転状態にするものであり、減圧ポンプモータ６４の運転状態では減圧ポンプ６３が空気を一定の流量で排出する。この減圧ポンプ６３は減圧器に相当する。
【００３４】
脱気容器５８の天板には、図５に示すように、減圧管６６の前端部が接続されている。この減圧管６６は前後方向へ指向するものであり、減圧管６６の前端部は脱気容器５８内に単位量の水が貯留された状態で脱気空間内に通じる。この減圧管６６には逆止弁６７が介在されている。この逆止弁６７は空気が減圧管６６内を前端部から後端部に向けて流れることを許容するものであり、空気が減圧管６６内を後端部から前端部に向けて流れることを禁止する。この減圧管６６の後端部には減圧ポンプ６３の吸気口が接続されており、制御回路３０のＣＰＵは脱気容器５８内に単位量の水を貯留した場合には脱気容器５８の減圧モードで減圧ポンプモータ６４を運転状態にすることで脱気容器５８の脱気空間内の空気を減圧管６６から排気管を通して排出し、脱気容器５８の脱気空間を大気圧に比べて低圧の減圧状態にする。この脱気容器５８の減圧状態では脱気容器５８内の水中から脱気空間に溶存酸素が放出され、脱気容器５８内の水の溶存酸素の量が脱気空間の減圧前に比べて低くなる。この脱気容器５８内の水中から脱気空間に溶存酸素を放出する行為を脱気と称する。
【００３５】
出口管５９の下端部には、図４に示すように、給水管６８の上端部が接続されている。この給水管６８は後から前に向けて下降する直線状をなすものであり、給水管６８の下端部は上断熱仕切壁２を貫通して下方の製氷室１４内に挿入されている。この給水管６８の下端部は製氷皿３６の製氷位置で特定の製氷ブロックの一面に上方から対向するものであり、制御回路３０のＣＰＵは脱気容器５８内の水を脱気した場合には製氷皿３６の製氷位置で脱気容器５８を排水モードにすることで脱気容器５８内の水を出口管５９および給水管６８のそれぞれを通して製氷皿３６の特定の製氷ブロック内に直接的に注入する。この水は特定の製氷ブロック内から溢れることで特定の製氷ブロックを除く残りの全ての製氷ブロック内に注入される。
【００３６】
図６の透明製氷処理は制御回路３０のＲＯＭに運転制御プログラムの一部として予め記録されたものであり、図６の透明製氷処理の実行中にはＲ温度センサ６からの温度信号およびＦ温度センサ１３からの温度信号の双方に基づいて冷蔵室３内および野菜室９内のそれぞれが冷蔵温度帯域にコントロールされ、冷凍室１１内が冷凍温度帯域にコントロールされ、製氷室１４内が製氷温度帯域にコントロールされる。
【００３７】
制御回路３０のＣＰＵはステップＳ１の初期設定処理で入口弁５５および出口弁６０のそれぞれを閉鎖状態とし、給水ポンプモータ４９および減圧ポンプモータ６４のそれぞれを運転停止状態にする。そして、ステップＳ２で入口弁５５を出口弁６０の閉鎖状態で開放状態に切換え、脱気容器５８を減圧モードから貯水モードに切換える。
【００３８】
ＣＰＵはステップＳ２で入口弁５５を閉鎖状態に切換えると、ステップＳ３で減圧ポンプモータ６４を運転停止状態から運転状態に切換え、ステップＳ４で給水ポンプモータ４９を運転停止状態から運転状態に切換えることで給水タンク４４内から脱気容器５８内に水を注入開始する。この給水ポンプモータ４９の運転開始時には脱気容器５８内に水が貯留されておらず、脱気容器５８に対する給水は脱気容器５８の空の状態で開始される。この脱気容器５８に対する給水は減圧ポンプモータ６４の運転状態で脱気容器５８内から空気を排出しながら行われるものであり、ホッパー５３は給水タンク４４内から入口管５４を通して脱気容器５８内に水が円滑に注入されるように水の搬送量を制御する。
【００３９】
ＣＰＵはステップＳ４で給水ポンプモータ４９を運転状態にすると、ステップＳ５でＲＡＭのタイマＴ１の値にＲＯＭに予め記録された初期値（０）を設定する。このタイマＴ１の値はＣＰＵがタイマ割込み処理を起動する毎に一定値を加算するものである。このタイマ割込み処理は一定時間（１ｓｅｃ）が経過する毎に起動するものであり、タイマＴ１の値は給水ポンプモータ４９の運転開始時を基準とする時間に相当する。
【００４０】
ＣＰＵはステップＳ５でタイマＴ１の値をリセットすると、ステップＳ６でタイマＴ１の値の加算結果をＲＯＭに予め記録された給水時間１と比較する。この給水時間１は給水タンク４４内から脱気容器５８内に単位量の水を注入するための時間であり、ＣＰＵはステップＳ６でタイマＴ１の値の加算結果が給水時間１に到達したと判断した場合にはステップＳ７で給水ポンプモータ４９を運転状態から運転停止状態に切換えることで脱気容器５８に対する給水を停止する。この給水停止状態では脱気容器５８内に単位量の水が貯留されており、脱気容器５８内に予め決められた一定の容積の脱気空間が形成されている。
【００４１】
ＣＰＵはステップＳ７で給水ポンプモータ４９を運転停止状態にすると、ステップＳ８で入口弁５５を開放状態から閉鎖状態に切換えることで脱気容器５８を貯水モードから減圧モードに切換える。この脱気容器５８の減圧モードでは減圧ポンプモータ６４がステップＳ３から継続的に運転状態にされており、ステップＳ８では減圧ポンプモータ６４が脱気容器５８の脱気空間から空気を排出することで脱気空間を減圧開始する。このＣＰＵはステップＳ８で脱気容器５８の脱気空間を減圧開始した場合にはステップＳ９へ移行し、ＲＡＭのタイマＴ２の値に初期値（０）を設定する。このタイマＴ２の値はＣＰＵがタイマ割込み処理を起動する毎に一定値を加算するものであり、ＣＰＵはタイマＴ２の値を加算することで脱気空間の減圧開始時を基準とする時間を計測する。
【００４２】
ＣＰＵはステップＳ９でタイマＴ２の値をリセットすると、ステップＳ１０でタイマＴ２の値の加算結果をＲＯＭに予め記録された減圧時間（３０ｓｅｃ）と比較する。この減圧時間は脱気容器５８内の水から脱気空間に溶存酸素が放出される脱気レベル（０．５ａｔｍ）に脱気空間を減圧するための時間であり、ＣＰＵはステップＳ１０でタイマＴ２の値の加算結果が減圧時間に到達したと判断した場合にはステップＳ１１で減圧ポンプモータ６４を運転状態から運転停止状態に切換えることで脱気空間の減圧を停止する。
【００４３】
ＣＰＵはステップＳ１１で脱気空間の減圧を停止すると、ステップＳ１２でＩ温度センサ３７からの温度信号を検出し、ステップＳ１３で温度信号の検出結果をＲＯＭに予め記録された水切れ温度と比較する。この水切れ温度は製氷皿３６の複数の製氷ブロック内のそれぞれに水が貯留されているか否かを判定するための閾値であり、ＣＰＵは製氷皿３６の複数の製氷ブロック内のそれぞれに水が貯留されていない場合にはステップＳ１３で温度信号の検出結果が水切れ温度に比べて低いと判断し、ステップＳ１４でＲＡＭのタイマＴ３の値に初期値（０）を設定する。このタイマＴ３の値はＣＰＵがタイマ割込み処理を起動する毎に一定値を加算するものであり、ＣＰＵはタイマＴ３の値を加算することで脱気空間の減圧停止時を基準とする時間を計測する。
【００４４】
ＣＰＵはステップＳ１４でタイマＴ３の値をリセットすると、ステップＳ１５でタイマＴ３の値の加算結果をＲＯＭに予め記録された脱気時間（９０ｍｉｎ）と比較する。この脱気時間は脱気容器５８内の水から脱気空間に溶存酸素を放出するための時間であり、ＣＰＵはステップＳ１５でタイマＴ３の値の加算結果が脱気時間に到達したと判断した場合にはステップＳ２１で入口弁５５を閉鎖状態から開放状態に切換え、ステップＳ２２で出口弁６０を閉鎖状態から開放状態に切換える。この入口弁５５の開放状態では脱気容器５８の脱気空間が入口管５４およびホッパー５３のそれぞれを介して外部に通じることで大気圧に戻り、出口弁６０の開放状態では脱気容器５８内の脱気済の水が出口管５９および給水管６８のそれぞれを通して排出される。この出口弁６０の開放状態では製氷皿３６が製氷位置で静止しており、給水管６８から排出された水は製氷皿３６の複数の製氷ブロック内のそれぞれに注入される。
【００４５】
ＣＰＵはステップＳ２２で出口弁６０を開放状態にすると、ステップＳ２３でＲＡＭのタイマＴ４の値に初期値（０）を設定する。このタイマＴ４の値はＣＰＵがタイマ割込み処理を起動する毎に一定値を加算するものであり、ＣＰＵはタイマＴ４の値を加算することで出口弁６０を閉鎖状態から開放状態に切換えたことを基準とする時間を計測する。このＣＰＵはステップＳ２３でタイマＴ４の値をリセットした場合にはステップＳ２４へ移行し、タイマＴ４の値の加算結果をＲＯＭに予め記録された給水時間２と比較する。この給水時間２は脱気容器５８内の脱気済の水を脱気容器５８内から製氷皿３６の複数の製氷ブロック内のそれぞれに注入するための時間であり、ＣＰＵはステップＳ２４でタイマＴ４の値の加算結果が給水時間２に到達したと判断した場合にはステップＳ１に復帰する。即ち、製氷皿３６に水が貯留されていない状態では脱気容器５８内に単位量の水が貯留され、脱気容器５８の脱気空間が減圧され、脱気容器５８内の水から減圧済の脱気空間に溶存酸素が放出され、脱気容器５８内の脱気済の水が製氷皿３６に給水される。
【００４６】
ＣＰＵはステップＳ１に復帰すると、ステップＳ１〜Ｓ１１のそれぞれを行うことで給水タンク４４内から脱気容器５８内に単位量の水を注入し、脱気容器５８の脱気空間を脱気レベルに減圧する。そして、ステップＳ１２でＩ温度センサ３７からの温度信号を検出し、ステップＳ１３で温度信号の検出結果を水切れ温度を比較する。この場合には製氷皿３６内に未凍結の水が貯留されており、ＣＰＵはステップＳ１３で温度信号の検出結果が水切れ温度以上であると判断し、ステップＳ１６でＩ温度センサ３７からの温度信号を検出し、ステップＳ１７で温度信号の検出結果をＲＯＭに予め記録された凍結完了温度（−１２．５℃＜水切れ温度）と比較する。この凍結完了温度は製氷皿３６の複数の製氷ブロック内のそれぞれの水が下面まで凍結するための温度であり、ＣＰＵはステップＳ１７で温度信号の検出結果が凍結完了温度に到達したと判断した場合にはステップＳ１８へ移行する。
【００４７】
ＣＰＵはステップＳ１８へ移行すると、タイマＴ１の値の加算結果をＲＯＭに予め記録された製氷完了時間（＝脱気時間）と比較する。この製氷完了時間は製氷皿３６の複数の製氷ブロック内のそれぞれの氷の凍結を進行させるための時間であり、ＣＰＵはステップＳ１８でタイマＴ１の値の加算結果が製氷完了時間に到達したと判断した場合にはステップＳ１９へ移行し、検知スイッチ４３が電気的なオフ状態にあるか否かを判断する。例えばアイスボックス４０内に満杯値の高さの氷が貯留されている状態ではステップＳ１９で検知スイッチ４３がオン状態にあると判断し、検知スイッチ４３がオフ状態になるまで待機する。
【００４８】
ＣＰＵはアイスボックス４０内に満杯値の高さの氷が貯留されていない状態ではステップＳ１９で検知スイッチ４３がオフ状態にあると判断し、ステップＳ２０で離氷モータ３８を回転操作する。この離氷モータ３８の回転操作は製氷皿３６が製氷位置から離氷位置に回転した後に離氷位置から製氷位置に戻るように行われるものであり、製氷皿３６の複数の製氷ブロック内のそれぞれの氷はステップＳ１９で製氷皿３６が製氷位置から離氷位置に回転操作されることで製氷ブロックの内面から剥離し、アイスボックス４０内に落下する。
【００４９】
ＣＰＵはステップＳ２０の離氷処理を終えると、ステップＳ２１〜ステップＳ２４のそれぞれを行うことで脱気容器５８内の水を製氷皿３６の複数の製氷ブロック内のそれぞれに注入し、ステップＳ１に復帰する。この水はステップＳ１１で減圧ポンプモータ６４が運転停止状態にされてからステップＳ２０の離氷処理が終了するまで脱気容器５８内に脱気空間の減圧状態で放置されることで脱気されたものであり、製氷皿３６の複数の製氷ブロック内のそれぞれには離氷が終了することで脱気済の新たな水が脱気容器５８内から注入される。
【００５０】
図７は透明製氷処理での製氷の流れであり、製氷皿３６および脱気容器５８のそれぞれの空の状態では給水タンク４４内から脱気容器５８内に脱気前の水が注入されることで脱気容器５８内に単位量の脱気前の水が貯留され（ｂ参照）、脱気容器５８の脱気空間が脱気レベルに減圧される。図８は脱気容器５８の脱気空間を脱気レベル（０．５ａｔｍ）に減圧した状態での時間の経過に対する水の溶存酸素量の変化を示すものであり、脱気容器５８内の水は脱気時間が経過するまで脱気空間の圧力が脱気レベルに維持されることで脱気され、脱気時間が経過した場合には脱気容器５８内から製氷皿３６内に脱気済の水が注入されることで製氷が始まる（ｃ参照）。この製氷が始まった場合には給水タンク４４内から空の脱気容器５８内に脱気前の水が注入されることで脱気容器５８内に単位量の脱気前の水が再び貯留され（ｄ参照）、脱気容器５８の脱気空間が脱気レベルに減圧される。この脱気容器５８内の水は製氷皿３６内の氷が製氷皿３６内から剥離されるまで脱気空間の圧力が脱気レベルに維持されることで脱気されるものであり（ｅ参照）、製氷皿３６内の氷が製氷皿３６内から剥離された場合には脱気容器５８内の脱気済の水が再び製氷皿３６内に注入されることで製氷が始まり（ｃ参照）、給水タンク４４内から空の脱気容器５８内に脱気前の水が注入されることで脱気容器５８内に脱気前の単位量の水が再び貯留される（ｄ参照）。
【００５１】
上記実施例１によれば次の効果を奏する。
給水タンク４４内の水を脱気容器５８の貯水モードで脱気容器５８内に注入することで脱気容器５８内に水を貯留し、脱気容器５８内に脱気空間を残した。この脱気容器５８内に水を注入した場合には脱気容器５８を貯水モードから密閉モードに切換え、脱気容器５８の密閉モードで脱気容器５８の脱気空間から外部に空気を排出することで脱気空間を減圧状態とし、脱気空間の減圧状態で脱気期間が経過するまで待機した。この脱気期間は脱気容器５８内の水中に残存する気体が脱気空間に放出されるのに必要な時間（製氷完了時間）であり、脱気期間が経過した場合には脱気容器５８を密閉モードから排水モードに切換えることで脱気容器５８内の脱気済の水を製氷皿３６内に注入した。このため、製氷皿３６内の水が気体の除去状態で凍結するので、気体が残ったまま凍結する場合に比べて氷の透明度が高くなる。
【実施例２】
【００５２】
図９の透明製氷処理は制御回路３０のＣＰＵが図６の透明製氷処理に換えて行うものであり、ＣＰＵはステップＳ１３でＩ温度センサ３７の温度信号の検出結果が水切れ温度に比べて低いと判断した場合にはステップＳ３１で入口弁５５を閉鎖状態から開放状態に切換え、ステップＳ３２で出口弁６０を閉鎖状態から開放状態に切換える。そして、ステップＳ３３でタイマＴ４の値をリセットし、ステップＳ３４でタイマＴ４の値の加算結果を給水時間２と比較する。ここでタイマＴ４の値の加算結果が給水時間２に到達したと判断した場合にはステップＳ３５でＩ温度センサ３７からの温度信号を検出し、ステップＳ３６で温度信号の検出結果を水切れ温度と比較する。
【００５３】
脱気容器５８内に水が貯留されている場合にはステップＳ３２で出口弁６０が開放状態にされることで脱気容器５８内の脱気前の水が製氷皿３６の複数の製氷ブロック内のそれぞれに注入される。この場合にはＣＰＵはステップＳ３６で温度信号の検出結果が水切れ温度以上であると判断し、ステップＳ１の初期設定処理に復帰することで給水タンク４４内から脱気容器５８内に水を再び注入する。即ち、製氷皿３６内および脱気容器５８内のそれぞれが空の状態では給水タンク４４内から脱気容器５８内を通して製氷皿３６内に脱気前の水が注入されることで製氷が始まり、製氷が始まった場合には給水タンク４４内から脱気容器５８内に水が再び注入される。この水は脱気容器５８内に脱気空間の減圧状態で貯留されることで脱気され、製氷皿３６内から氷が剥離された場合に脱気容器５８内から製氷皿３６内に注入される。
【００５４】
給水タンク４４内に水がない場合にはステップＳ４で給水ポンプモータ４９が運転状態にされても給水タンク４４内から脱気容器５８内に水が注入されず、ステップＳ３２で出口弁６０が開放状態にされても脱気容器５８内から製氷皿３６内に水が注入されない。この場合にはＣＰＵはステップＳ３６で温度信号の検出結果が水切れ温度に比べて低いと判断し、ステップＳ３７でＲ扉スイッチ５がオン状態にあるか否かを判断する。ここでＲ扉スイッチ５がオン状態にあると判断した場合にはステップＳ３８へ移行し、ＲＡＭのタイマＴ５の値に初期値（０）を設定する。このタイマＴ５の値はＣＰＵがタイマ割込み処理を起動する毎に一定値を加算するものであり、ＣＰＵはタイマＴ５の値を加算することでＲ扉スイッチ５がオン状態にあると判断したことを基準とする時間を計測する。
【００５５】
ＣＰＵはステップＳ３８でタイマＴ５の値をリセットすると、ステップＳ３９でタイマＴ５の値の加算結果をＲＯＭに予め決められた給水待ち時間（１ｈｒ）と比較する。ここでタイマＴ５の値の加算結果が給水待ち時間に到達したと判断した場合にはステップＳ４０で給水ポンプモータ４９を運転停止状態から運転状態に切換え、ステップＳ４１でタイマＴ１の値をリセットし、ステップＳ４２でタイマＴ１の値の加算結果をＲＯＭに予め記録された給水時間３と比較する。この給水時間３は給水タンク４４内から製氷皿３６内に単位量の水を注入するための時間であり、給水時間１および給水時間２のそれぞれに比べて長く設定されている。
【００５６】
ＣＰＵはステップＳ４２でタイマＴ１の値の加算結果が給水時間３に到達したと判断すると、ステップＳ４３で給水ポンプモータ４９を運転状態から運転停止状態に切換える。即ち、給水タンク４４内に水がない場合には使用者がＲドア４を開放状態にして給水タンク４４内に水を補給するまで待機し、使用者が給水タンク４４内に水を補給した後に給水ポンプモータ４９を運転状態にすることで給水タンク４４内から脱気容器５８内に水を注入する。そして、ステップＳ３５でＩ温度センサ３７からの温度信号を検出し、ステップＳ３６で温度信号の検出結果を水切れ温度と比較する。ここで温度信号の検出結果が水切れ温度以上であると判断し、ステップＳ１の初期設定処理へ移行する。
【００５７】
上記実施例２によれば次の効果を奏する。
製氷皿３６内に水および氷のそれぞれが存在せずに給水タンク４４内および脱気容器５８内のそれぞれにも水が存在しない状態では給水タンク４４内に水が補給された場合に給水ポンプモータ４９を脱気容器５８の排水モードで運転状態とし、給水タンク４４内の脱気前の水を製氷皿３６内に脱気容器５８内を通して注入した。一般的に水に溶け込んだ溶存酸素量は水の温度が低いほど多く、水の温度が高いほど少ない。水道の蛇口から給水タンク４４内に補給される水道水の温度は冷蔵室３の温度に比べて高く、図１０に示すように、水道の蛇口から給水タンク４４内に補給される水道水の溶存酸素量は減圧状態と同程度になる。即ち、給水タンク４４内に水が補給された場合には給水ポンプモータ４９が脱気容器５８の排水モードで運転状態になることで給水タンク４４内から製氷皿３３内に脱気前でありながらも溶存酸素量が少ない水が注入されるので、脱気期間が経過するまで待機することなく透明度が高い氷を製氷できる。
【実施例３】
【００５８】
Ｒドア４の前面には製氷モードスイッチが装着されている。この製氷モードスイッチは使用者が操作することが可能なものであり、制御回路３０のＣＰＵは製氷モードスイッチの操作内容に応じてＲＡＭの透明製氷フラグをオン状態およびオフ状態のいずれかに設定する。この透明製氷フラグのオン状態は透明製氷モードに相当するものであり、ＣＰＵは透明製氷モードでは図６の透明製氷処理または図９の透明製氷処理を実行する。
【００５９】
図１１の通常製氷処理は制御回路３０のＲＯＭに運転制御プログラムの一部として予め記録されたものである。この通常製氷処理は透明製氷フラグがオフ状態に設定された通常製氷モードで実行されるものであり、ＣＰＵはステップＳ５１の初期設定処理で入口弁５５および出口弁６０のそれぞれを閉鎖状態とし、給水ポンプモータ４９および減圧ポンプモータ６４のそれぞれを運転停止状態にする。そして、ステップＳ５２で入口弁５５を閉鎖状態から開放状態に切換え、ステップＳ５３で出口弁６０を閉鎖状態から開放状態に切換え、ステップＳ５４で給水ポンプモータ４９を運転停止状態から運転状態に切換える。この給水ポンプモータ４９の運転状態で給水タンク４４内に水が貯留されている場合には給水タンク４４内の水が脱気容器５８内を通して製氷皿３６内に脱気されることなく注入される。
【００６０】
ＣＰＵはステップＳ５４で給水ポンプモータ４９を運転状態に切換えると、ステップＳ５５でタイマＴ１の値をリセットし、ステップＳ５６でタイマＴ１の値の加算結果を給水時間３と比較する。ここでタイマＴ１の値の加算結果が給水時間３に到達したと判断した場合にはステップＳ５７で給水ポンプモータ４９を運転状態から運転停止状態に切換え、ステップＳ５８で入口弁５５を開放状態から閉鎖状態に切換え、ステップＳ５９で出口弁６０を開放状態から閉鎖状態に切換える。即ち、製氷皿３６内には給水タンク４４内から脱気容器５８内を通して単位量の水が脱気されることなく注入される。
【００６１】
ＣＰＵはステップＳ５９で出口弁６０を閉鎖状態にすると、ステップＳ６０でＩ温度センサ３７からの温度信号を検出し、ステップＳ６１で温度信号の検出結果を水切れ温度と比較する。ここで製氷皿３６内に未凍結の水が貯留されている場合には温度信号の検出結果が水切れ温度以上であると判断し、ステップＳ６２でＩ温度センサ３７からの温度信号を検出し、ステップＳ６３で温度信号の検出結果を凍結完了温度と比較する。
【００６２】
ＣＰＵはステップＳ６３で温度信号の検出結果が凍結完了温度に到達したと判断すると、ステップＳ６４でタイマＴ１の値の加算結果を製氷完了時間と比較する。ここでタイマＴ１の値の加算結果が製氷完了時間に到達したと判断した場合にはステップＳ６５へ移行し、検知スイッチ４３がオフ状態にあるか否かを判断する。ここで検知スイッチ４３がオフ状態にあると判断した場合にはステップＳ６６の離氷処理へ移行し、製氷皿３６を製氷位置から離氷位置に回転操作した後に離氷位置から製氷位置に戻すことで製氷皿３６の複数の製氷ブロック内のそれぞれの氷を製氷ブロックの内面から剥離し、ステップＳ５２に復帰する。
【００６３】
給水タンク４４内に水が貯留されておらず給水ポンプモータ４９が運転状態にされても製氷皿３６内に水が注入されない場合にはＣＰＵはステップＳ６１でＩ温度センサ３７からの温度信号の検出結果が水切れ温度に比べて低いと判断し、ステップＳ６７でＲ扉スイッチ５がオン状態にあるか否かを判断する。ここでＲ扉スイッチ５がオン状態にあると判断した場合にはステップＳ６８でタイマＴ５の値をリセットし、ステップＳ６９でタイマＴ５の値の加算結果を給水待ち時間と比較する。ここでタイマＴ５の値の加算結果が給水待ち時間に到達したと判断した場合にはステップＳ５２に復帰する。即ち、給水タンク４４内に水が貯留されていない場合には使用者がＲドア４を開放状態にして給水タンク４４内に水を補給するまで待機し、使用者が給水タンク４４内に水を補給した後に入口弁５５および出口弁６０のそれぞれの開放状態で給水ポンプモータ４９を運転状態にすることで給水タンク４４内から脱気容器５８内を通して製氷皿３６内に単位量の水を脱気することなく注入する。
【００６４】
上記実施例３によれば次の効果を奏する。
透明製氷モードの設定状態では脱気容器５８の脱気空間が減圧状態にされたことを基準に製氷皿３６内から氷が剥離されるまで減圧状態に維持されるので、脱気容器５８内から製氷皿３６内に脱気済の水が注入されることで通常製氷モードの設定状態に比べて透明度が高い氷が製氷される。通常製氷モードの設定状態では給水タンク４４内から製氷皿３６内に未脱気の水が注入されるので、透明製氷モードの設定状態に比べて透明度が低い氷が製氷される。このため、使用者が製氷モードスイッチを操作することで透明度が相互に異なる氷を製氷できる。
【実施例４】
【００６５】
図１２の透明製氷モード移行処理はＲＡＭの透明製氷フラグがオフ状態からオン状態に切換えられた場合に制御回路３０のＣＰＵが先頭のステップＳ７１から実行するものであり、ＣＰＵはステップＳ７１の初期設定処理で入口弁５５および出口弁６０のそれぞれを閉鎖状態とし、給水ポンプモータ４９および減圧ポンプモータ６４のそれぞれを運転停止状態にする。そして、ステップＳ７２でＩ温度センサ３７からの温度信号を検出し、ステップＳ７３で温度信号の検出結果をＲＯＭに予め記録された製氷完了温度と比較する。この製氷完了温度は製氷皿３６内に水および氷のいずれかが残っているか否かを判断するための閾値であり、図６のステップＳ１７の凍結完了温度と図９のステップＳ１７の凍結完了温度と図１１のステップ６３の凍結完了温度のそれぞれに比べて低く設定されている。
【００６６】
通常製氷モードは給水タンク４４内の水を脱気することなく製氷皿３６内に注入するものであり、脱気容器５８内に水が貯留されていない。この通常製氷モードで製氷皿３６内に水および氷のいずれかが残っている状態で通常製氷モードから透明製氷モードに切換えられた場合にはＣＰＵはステップＳ７３で温度信号の検出結果が製氷完了温度以上であると判断し、ステップＳ２で入口弁５５を閉鎖状態から開放状態に切換え、ステップＳ３で減圧ポンプモータ６４を運転停止状態から運転状態に切換え、ステップＳ４で給水ポンプモータ４９を運転停止状態から運転状態に切換えることで給水タンク４４内から脱気容器５８内に水を注入開始する。
【００６７】
ＣＰＵはステップＳ４で給水ポンプモータ４９を運転状態に設定すると、ステップＳ７４でＲＡＭのタイマＴ６の値に初期値（０）を設定する。このタイマＴ６の値はＣＰＵがタイマ割込み処理を起動する毎に一定値（１ｓｅｃ）を加算するものであり、ＣＰＵはステップＳ７４でタイマＴ６の値をリセットした場合にはステップＳ７５でタイマＴ６の値の加算結果を給水時間１と比較する。ここでタイマＴ６の値の加算結果が給水時間１に到達したと判断した場合にはステップＳ７で給水ポンプモータ４９を運転状態から運転停止状態に切換えることで脱気容器５８内に単位量の水を貯留する。
【００６８】
ＣＰＵはステップＳ７で給水ポンプモータ４９を運転停止状態にすると、ステップＳ８〜Ｓ１１のそれぞれを実行することで脱気容器５８の脱気空間を脱気レベルに減圧する。そして、ステップＳ１７でＩ温度センサ３７の温度信号の検出結果が凍結完了温度に到達したと判断した場合にはステップＳ１８へ移行し、タイマＴ１の値の加算結果が製氷完了時間に到達したか否かを判断する。このタイマＴ１の値は直前の通常製氷処理からリセットされることなく継続的に加算されているものであり、ＣＰＵはステップＳ１８でタイマＴ１の値の加算結果が製氷完了時間に到達したと判断した場合にはステップＳ１９およびＳ２０のそれぞれを実行することで製氷皿３６の複数の製氷ブロック内のそれぞれから氷を剥離し、ステップＳ２１〜Ｓ２４のそれぞれを実行することで脱気容器５８内の脱気済の水を製氷皿３６内に注入し、図６の透明製氷処理のステップＳ１または図９の透明製氷処理のステップＳ１へ移行する。
【００６９】
通常製氷モードで製氷皿３６内に水および氷がいずれも残っていない状態で通常製氷モードから透明製氷モードに切換えられた場合にはＣＰＵはステップＳ７３でＩ温度センサ３７の温度信号の検出結果が製氷完了温度に比べて低いと判断し、ステップＳ７６で入口弁５５を閉鎖状態から開放状態に切換える。そして、ステップＳ７７で出口弁６０を閉鎖状態から開放状態に切換え、ステップＳ７８で給水ポンプモータ４９を運転停止状態から運転状態に切換える。
【００７０】
ＣＰＵはステップＳ７８で給水ポンプモータ４９を運転状態にすると、ステップＳ７９でタイマＴ１の値をリセットし、ステップＳ８０でタイマＴ１の値の加算結果を給水時間３と比較する。ここでタイマＴ１の値の加算結果が給水時間３に到達したと判断した場合にはステップＳ８１で給水ポンプモータ４９を運転状態から運転停止状態に切換え、ステップＳ８２でＩ温度センサ３７からの温度信号を検出し、ステップＳ８３で温度信号の検出結果を水切れ温度と比較する。
【００７１】
給水タンク４４内から製氷皿３６内に単位量の水が脱気されることなく注入された場合にはＣＰＵはステップＳ８３で温度信号の検出結果が水切れ温度以上であると判断し、図６の透明製氷処理のステップＳ１または図９の透明製氷処理のステップＳ１へ移行する。そして、ステップＳ１〜Ｓ７で給水タンク４４内から脱気容器５８内に単位量の水を注入し、ステップＳ８〜Ｓ１１で脱気容器５８の脱気空間を脱気レベルに減圧し、ステップＳ２０で製氷皿３６の複数の製氷ブロック内のそれぞれから氷を剥離し、ステップＳ２１〜Ｓ２４で脱気容器５８内の脱気済の水を製氷皿３６内に注入する。
【００７２】
給水タンク４４内から製氷皿３６内に水が注入されなかった場合にはＣＰＵはステップＳ８３で温度信号の検出結果が水切れ温度に比べて低いと判断し、ステップＳ８４でＲ扉スイッチ５がオン状態にあるか否かを判断する。ここでＲ扉スイッチ５がオン状態にあると判断した場合にはステップＳ８５でタイマＴ５の値をリセットし、ステップＳ８６でタイマＴ５の値の加算結果を給水待ち時間と比較する。ここでタイマＴ５の値の加算結果が給水待ち時間に到達したと判断した場合にはステップＳ８７で給水ポンプモータ４９を運転停止状態から運転状態に切換え、ステップＳ８８でタイマＴ１の値をリセットし、ステップＳ８９でタイマＴ１の値の加算結果を給水時間３と比較する。
【００７３】
ＣＰＵはステップＳ８９でタイマＴ１の値の加算結果が給水時間３に到達したと判断すると、ステップＳ９０で給水ポンプモータ４９を運転状態から運転停止状態に切換え、ステップＳ８２に復帰する。即ち、通常製氷モードで製氷皿３６内および給水タンク４４内のそれぞれに水が貯留されていない状態で通常製氷モードから透明製氷モードに切換えられた場合には使用者が給水タンク４４内に水を補給した後に給水ポンプモータ４９が運転状態になり、給水タンク４４内から脱気容器５８内を通して製氷皿３６内に単位量の水が脱気されることなく注入される。
【００７４】
上記実施例４によれば次の効果を奏する。
製氷皿３６内に水または氷が残されていると共に脱気容器５８内に水が残されていない状態で製氷モードが通常製氷モードから透明製氷モードに切換えられた場合には脱気容器５８内に水を貯留した状態で脱気容器５８の脱気空間を減圧状態とし、直前の通常製氷モードでの製氷皿３６内の水が凍結して製氷皿３６内から氷が剥離された場合または直前の通常製氷モードでの製氷皿３６内の氷が製氷皿３６内から剥離された場合に脱気容器５８内から製氷皿３６内に水を注入した。このため、直前の通常製氷モードでリセットされたタイマＴ１の値が透明製氷モードで製氷完了時間に到達するまで脱気容器５８の脱気空間が減圧状態に維持されるので、脱気容器５８内の水を脱気するための所要時間が短縮される。
【実施例５】
【００７５】
図１３の透明製氷モード移行処理は制御回路３０のＣＰＵが図１２の透明製氷モード移行処理に換えて実行するものであり、ＣＰＵはステップＳ１１で減圧ポンプモータ６４を運転状態から運転停止状態に切換えた場合にはステップＳ９１でタイマＴ６の値をリセットし、ステップＳ２０の離氷処理を終えた場合にはステップＳ９２でタイマＴ６の値の加算結果を脱気時間と比較する。ここでタイマＴ６の値の加算結果が脱気時間に到達したと判断した場合にステップＳ２１〜Ｓ２４のそれぞれを実行することで脱気容器５８内から製氷皿３６内に脱気済の単位量の水を注入する。
【００７６】
上記実施例５によれば次の効果を奏する。
製氷皿３６内に水または氷が残されていると共に脱気容器５８内に水が残されていない状態で製氷モードが通常製氷モードから透明製氷モードに切換えられた場合には脱気容器５８内に水を貯留した状態で脱気容器５８の脱気空間を減圧状態とし、脱気容器５８の脱気空間を減圧状態にした場合には脱気空間が減圧状態にされてから脱気時間が経過したか否かを判定し、脱気時間が経過したと判定した場合に脱気容器５８内から製氷皿３６内に水を注入したので、脱気容器５８の脱気空間を脱気に必要な一定の脱気時間だけ減圧状態に維持することができる。
【実施例６】
【００７７】
図１４の通常製氷処理は制御回路３０のＣＰＵが図１０の通常製氷処理に換えて実行するものである。この図１４の通常製氷処理は透明製氷フラグがオン状態からオフ状態に切換えられた場合に先頭のステップＳ１０１の初期設定処理から開始されるものであり、ＣＰＵはステップＳ１０１の初期設定処理で入口弁５５および出口弁６０のそれぞれを閉鎖状態とし、給水ポンプモータ４９および減圧ポンプモータ６４のそれぞれを運転停止状態にする。そして、ステップＳ１０２でＩ温度センサ３７からの温度信号を検出し、ステップＳ１０３で温度信号の検出結果を製氷完了温度と比較する。
【００７８】
透明製氷モードは脱水容器５８内に水を貯留し、製氷皿３６内から氷が剥離される毎に脱水容器５８内から製氷皿３６内に水を注入するものである。この透明製氷モードで製氷皿３６内に水および氷のいずれかが残り、給水タンク４４内および脱気容器５８内のそれぞれに水が残っている状態で透明製氷モードから通常製氷モードに切換えられた場合にはＣＰＵはステップＳ１０３で温度信号の検出結果が製氷完了温度以上であると判断し、ステップＳ１０４でＩ温度センサ３７からの温度信号を検出し、ステップＳ１０５で温度信号の検出結果を凍結完了温度と比較する。
【００７９】
ＣＰＵはステップＳ１０５で温度信号の検出結果が凍結完了温度に到達したと判断すると、ステップＳ１０６でタイマＴ１の値の加算結果を製氷完了時間と比較する。このタイマＴ１の値は直前の透明製氷モードからリセットされることなく継続的に加算されているものであり、ＣＰＵはステップＳ１０６でタイマＴ１の値の加算結果が製氷完了時間に到達したと判断した場合にはステップＳ１０７へ移行し、検知スイッチ４３がオフ状態にあるか否かを判断する。ここで検知スイッチ４３がオフ状態にあると判断した場合にはステップＳ１０８の離氷処理へ移行し、製氷皿３６内から氷を剥離する。
【００８０】
ＣＰＵはステップＳ１０８の離氷処理を終えると、ステップＳ１０９で入口弁５５を閉鎖状態から開放状態に切換え、ステップＳ１１０で出口弁６０を閉鎖状態から開放状態に切換えることで直前の透明製氷モードでの脱気容器５８内の水を製氷皿３６内に注入開始し、ステップＳ１１１でＲＡＭの貯水済フラグをオフ状態に設定する。この貯水済フラグは脱気容器５８内に水が貯留されているか否かを示すものであり、ＣＰＵはステップＳ１１１で貯水済フラグをオフ状態に設定した場合にはステップＳ１１２でタイマＴ４の値をリセットし、ステップＳ１１３でタイマＴ４の値の加算結果を給水時間２と比較する。ここでタイマＴ４の値の加算結果が給水時間２に到達したと判断した場合にはステップＳ１１４でＩ温度センサ３７からの温度信号を検出し、ステップＳ１１５で温度信号の検出結果を水切れ温度と比較する。
【００８１】
ＣＰＵは脱気容器５８内に直前の透明製氷モードでの水が残っていた場合にはステップＳ１１５で温度信号の検出結果が水切れ温度以上であると判断し、ステップＳ１３４でタイマＴ１の値をリセットする。そして、ステップＳ１２４でＩ温度センサ３７からの温度信号を検出し、ステップＳ１２５で温度信号の検出結果を凍結完了温度と比較する。ここで温度信号の検出結果が凍結完了温度に到達したと判断した場合にはステップＳ１２６でタイマＴ１の値の加算結果を製氷完了時間と比較する。
【００８２】
ＣＰＵはステップＳ１２６でタイマＴ１の値の加算結果が製氷完了時間に到達したと判断すると、ステップＳ１２７で検知スイッチ４３がオフ状態にあるか否かを判断する。ここで検知スイッチ４３がオフ状態にあると判断した場合にはステップＳ１２８の離氷処理で製氷皿３６内から氷を剥離し、ステップＳ１３２で入口弁５５を閉鎖状態から開放状態に切換え、ステップＳ１３３で出口弁６０を閉鎖状態から開放状態に切換える。
【００８３】
ＣＰＵはステップＳ１３３で出口弁６０を開放状態にすると、ステップＳ１１６で給水ポンプモータ４９を運転停止状態から運転状態に切換えることで給水タンク４４内の水を脱気容器５８内を通して製氷皿３６内に注入開始する。そして、ステップＳ１１７でタイマＴ１の値をリセットし、ステップＳ１１８でタイマＴ１の値の加算結果を給水時間３と比較する。ここでタイマＴ１の値の加算結果が給水時間３に到達したと判断した場合にはステップＳ１１９で入口弁５５を開放状態から閉鎖状態に切換え、ステップＳ１２０で出口弁６０を開放状態から閉鎖状態に切換える。次にステップＳ１２１で貯水済フラグをオフ状態に設定し、ステップＳ１２２でＩ温度センサ３７からの温度信号を検出し、ステップＳ１２３で温度信号の検出結果を水切れ温度と比較する。
【００８４】
ＣＰＵは給水タンク４４内に水が残されていた場合にはステップＳ１２３で温度信号の検出結果が水切れ温度以上であると判断し、ステップＳ１２４〜Ｓ１２８のそれぞれを実行することで製氷皿３６内から氷を剥離する。即ち、透明製氷モードで製氷皿３６内に水または氷が残り、給水タンク４４内および脱気容器５８内のそれぞれに水が残っている状態で透明製氷モードから通常製氷モードに切換えられた場合には製氷皿３６内から氷が剥離されるまで脱気容器５８内の水が脱気空間の減圧状態で脱気容器５８内に貯留され、製氷皿３６内から氷が剥離された場合には脱気容器５８内の脱気済の水が製氷皿３６内に注入される。この脱気済の水が凍結して製氷皿３６内から氷が剥離された以後は給水タンク４４内から脱気容器５８内を通して製氷皿３６内に水が脱気されることなく注入され、脱気されていない水が凍結することで氷が製氷される。
【００８５】
透明製氷モードで製氷皿３６内に水および氷がいずれも残っておらず、給水タンク４４内および脱気容器５８内のそれぞれに水が残っている場合にはＣＰＵはステップＳ１０３で温度信号の検出結果が製氷完了温度に比べて低いと判断し、ステップＳ１０９〜Ｓ１１３のそれぞれを実行することで脱気容器５８内の水を製氷皿３６内に注入する。そして、ステップＳ１１４でＩ温度センサ３７からの温度信号を検出し、ステップＳ１１８で温度信号の検出結果が水切れ温度以上であると判断し、ステップＳ１３４でタイマＴ１の値をリセットし、ステップＳ１２４〜Ｓ１２８のそれぞれを実行することで製氷皿３６内から氷を剥離する。即ち、透明製氷モードで製氷皿３６内に水および氷がいずれも残っておらず、給水タンク４４内および脱気容器５８内のそれぞれに水が残っている場合には透明製氷モードから通常製氷モードに切換えられることで脱気容器５８内の水が製氷皿３６内に注入される。この水が凍結して製氷皿３６内から氷が剥離された以後は給水タンク４４内から脱気容器５８内を通して製氷皿３６内に水が脱気されることなく注入され、脱気されていない水が凍結することで氷が製氷される。
【００８６】
透明製氷モードで製氷皿３６内に水および氷がいずれも残っておらず、脱気容器５８内にも水が残っておらず、給水タンク４４内に水が残っている場合にはＣＰＵはステップＳ１０３で温度信号の検出結果が製氷完了温度に比べて低いと判断し、ステップＳ１０９〜Ｓ１１４のそれぞれを実行する。そして、ステップＳ１１５で温度信号の検出結果が水切れ温度に比べて低いと判断し、ステップＳ１１６〜Ｓ１２１のそれぞれを実行することで給水タンク４４内から脱気容器５８内を通して製氷皿３６内に水を注入する。そして、ステップＳ１２２でＩ温度センサ３７からの温度信号を検出し、ステップＳ１２３で温度信号の検出結果が水切れ温度以上であると判断し、ステップＳ１２４〜Ｓ１２８のそれぞれを実行することで製氷皿３６内から氷を剥離する。即ち、透明製氷モードで製氷皿３６内に水および氷がいずれも残っておらず、脱気容器５８内にも水が残っておらず、給水タンク４４内に水が残っている場合には透明製氷モードから通常製氷モードに切換えられることで給水タンク４４内から脱気容器５８内を通して製氷皿３６内に水が注入され、脱気されていない水が凍結することで氷が製氷される。
【００８７】
透明製氷モードで製氷皿３６内に水および氷がいずれも残っておらず、給水タンク４４内および脱気容器５８内のそれぞれにも水が残っていない場合にはＣＰＵはステップＳ１２３で温度信号の検出結果が水切れ温度に比べて低いと判断し、ステップＳ１２９でＲ扉スイッチ５がオン状態にあるか否かを判断する。ここでＲ扉スイッチ５がオン状態にあると判断した場合にはステップＳ１３０でタイマＴ５の値をリセットし、ステップＳ１３１でタイマＴ５の値の加算結果を給水待ち時間と比較する。
【００８８】
ＣＰＵはステップＳ１３１でタイマＴ５の値の加算結果が給水待ち時間に到達したと判断すると、ステップＳ１３２で入口弁５５を閉鎖状態から開放状態に切換え、ステップＳ１３３で出口弁６０を閉鎖状態から開放状態に切換え、ステップＳ１１６で給水ポンプモータ４９を運転停止状態から運転状態に切換える。即ち、透明製氷モードで製氷皿３６内に水および氷がいずれも残っておらず、給水タンク４４内および脱気容器５８内のそれぞれにも水が残っていない場合には使用者がＲドア４を開放状態にして給水タンク４４内に水を補給するまで待機し、使用者が給水タンク４４内に水を補給した後に給水タンク４４内から脱気容器５８内を通して製氷皿３６内に水が注入され、脱気されていない水が凍結することで氷が製氷される。
【００８９】
図１５の透明製氷処理は制御回路３０のＣＰＵが図６または図９の透明製氷処理に換えて実行するものである。この図１５の透明製氷処理は透明製氷フラグがオフ状態からオン状態に切換えられた場合に先頭のステップＳ１４１の初期設定処理から開始されるものであり、ＣＰＵはステップＳ１４１の初期設定処理で入口弁５５および出口弁６０のそれぞれを閉鎖状態とし、給水ポンプモータ４９および減圧ポンプモータ６４のそれぞれを運転停止状態にする。そして、ステップＳ１４２でＩ温度センサ３７からの温度信号を検出し、ステップＳ１４３で温度信号の検出結果を製氷完了温度と比較する。
【００９０】
通常製氷モードは製氷皿３６内から氷が剥離される毎に給水タンク４４内から製氷皿３６内に水を注入するものであり、使用者が製氷モードスイッチを短い時間間隔で操作することで透明製氷モードから通常製氷モードを経て透明製氷モードに切換えた場合には脱気容器５８内に水が残されていることがある。
【００９１】
通常製氷モードで製氷皿３６内に水および氷のいずれかが残されており、給水タンク４４内および脱気容器５８内のそれぞれに水が残されている状態で通常製氷モードから透明製氷モードに切換えられた場合にはＣＰＵはステップＳ１４３で温度信号の検出結果が製氷完了温度以上であると判断し、ステップＳ１４４で貯水済フラグがオン状態に設定されているか否かを判断する。ここで貯水済フラグがオン状態に設定されていると判断し、ステップＳ１４５でＩ温度センサ３７からの温度信号を検出し、ステップＳ１４６で温度信号の検出結果を凍結完了温度と比較する。
【００９２】
ＣＰＵはステップＳ１４６で温度信号の検出結果が凍結完了温度に到達したと判断すると、ステップＳ１４７でタイマＴ１の値の加算結果を製氷完了時間と比較する。このタイマＴ１の値は直前の通常製氷モードからリセットされることなく継続的に加算されているものであり、ＣＰＵはステップＳ１４７でタイマＴ１の値の加算結果が製氷完了時間に到達したと判断した場合にはステップＳ１４８で検知スイッチ４３がオフ状態にあるか否かを判断する。ここで検知スイッチ４３がオフ状態にあると判断した場合にはステップＳ１４９の離氷処理で製氷皿３６内から氷を剥離し、ステップＳ１５０で入口弁５５を閉鎖状態から開放状態に切換え、ステップＳ１５１で出口弁６０を閉鎖状態から開放状態に切換える。そして、ステップＳ１５２でタイマＴ４の値をリセットし、ステップＳ１５３でタイマＴ４の値の加算結果を給水時間２と比較する。
【００９３】
ＣＰＵはステップＳ１５３でタイマＴ４の値の加算結果が給水時間２に到達したと判断すると、ステップＳ１５４で貯水済フラグをオフ状態に設定する。そして、ステップＳ１５５でＩ温度センサ３７からの温度信号を検出し、ステップＳ１５６で温度信号の検出結果を水切れ温度と比較する。ここで温度信号の検出結果が水切れ温度以上であると判断し、ステップＳ１５８で出口弁６０を入口弁５５の開放状態で閉鎖状態に切換え、ステップＳ１５９で減圧ポンプモータ６４を運転停止状態から運転状態に切換える。
【００９４】
ＣＰＵはステップＳ１５９で減圧ポンプモータ６４を運転状態にすると、ステップＳ１６０で給水ポンプモータ４９を運転停止状態から運転状態に切換えることで給水タンク４４内から脱気容器５８内に水を注入開始する。そして、ステップＳ１６１でタイマＴ１の値をリセットし、ステップＳ１６２でタイマＴ１の値の加算結果を給水時間１と比較する。ここでタイマＴ１の値の加算結果が給水時間１に到達したと判断した場合にはステップＳ１６３で給水ポンプモータ４９を運転状態から運転停止状態に切換え、ステップＳ１６４で貯水済フラグをオン状態に設定する。
【００９５】
ＣＰＵはステップＳ１６４で貯水済フラグをオン状態に設定すると、ステップＳ１６５で入口弁５５を減圧ポンプモータ６４の運転状態で開放状態から閉鎖状態に切換えることで脱気容器５８の脱気空間を減圧開始する。そして、ステップＳ１６６でタイマＴ２の値をリセットし、ステップＳ１６７でタイマＴ２の値の加算結果を減圧時間と比較する。ここでタイマＴ２の値の加算結果が減圧時間に到達したと判断した場合にはステップＳ１６８で減圧ポンプモータ６４を運転状態から運転停止状態に切換え、ステップＳ１４５へ移行する。即ち、通常製氷モードで製氷皿３６内に水および氷のいずれかが残されており、給水タンク４４内および脱気容器５８内のそれぞれに水が残されている状態で通常製氷モードから透明製氷モードに切換えられた場合には製氷皿３６内から氷が剥離されるまで脱気容器５８が水の貯留状態で密閉される。この水は製氷皿３６内から氷が剥離された場合に脱気容器５８内から製氷皿３６内に注入されるものであり、脱気容器５８内の水が製氷皿３６内に注入された場合には給水タンク４４内から脱気容器５８内に水が注入され、脱気容器５８の脱気空間が減圧される。この脱気空間は製氷皿３６内から氷が剥離されるまで減圧状態に維持されるものであり、製氷皿３６内から氷が剥離された場合には脱気容器５８内から製氷皿３６内に脱気済の水が注入される。
【００９６】
通常製氷モードで製氷皿３６内に水および氷のいずれかが残されており、脱気容器５８内に水が残されておらず、給水タンク４４内に水が残されている状態で通常製氷モードから透明製氷モードに切換えられた場合にはＣＰＵはステップＳ１４３で温度信号の検出結果が製氷完了温度以上であると判断し、ステップＳ１４４で貯水済フラグがオフ状態に設定されていると判断する。そして、ステップＳ１５７で入口弁５５を閉鎖状態から開放状態に切換え、ステップＳ１５８で出口弁６０を閉鎖状態にする。次にステップＳ１５９〜Ｓ１６４のそれぞれを実行することで給水タンク４４内から脱気容器５８内に水を注入し、ステップＳ１６５〜Ｓ１６８のそれぞれを実行することで脱気容器５８の脱気空間を減圧する。
【００９７】
ＣＰＵは脱気容器５８の脱気空間を減圧すると、ステップＳ１４５〜ステップＳ１４９のそれぞれを実行することで製氷皿３６内から氷を剥離し、ステップＳ１５０〜Ｓ１５４のそれぞれを実行することで脱気容器５８内から製氷皿３６内に脱気済の水を注入する。そして、ステップＳ１５５でＩ温度センサ３７からの温度信号を検出し、ステップＳ１５６で温度信号の検出結果が水切れ温度以上であると判断し、ステップＳ１５８で出口弁６０を入口弁５５の開放状態で閉鎖状態に切換える。即ち、通常製氷モードで製氷皿３６内に水および氷のいずれかが残されており、脱気容器５８内に水が残されておらず、給水タンク４４内に水が残されている状態で通常製氷モードから透明製氷モードに切換えられた場合には給水タンク４４内から脱気容器５８内に水が注入され、脱気容器５８の脱気空間が減圧される。この脱気空間は直前の通常製氷モードで製氷皿３６内に残されていた水が凍結し、製氷皿３６内から氷が剥離されるまで減圧状態に維持されるものであり、製氷皿３６内から氷が剥離された場合には脱気容器５８内から製氷皿３６内に脱気済の水が注入される。
【００９８】
通常製氷モードで製氷皿３６内に水および氷がいずれも残されておらず、給水タンク４４内および脱気容器５８内のそれぞれに水が残されている状態で通常製氷モードから透明製氷モードに切換えられた場合にはＣＰＵはステップＳ１４３で温度信号の検出結果が製氷完了温度に比べて低いと判断し、ステップＳ１６９で入口弁５５を閉鎖状態から開放状態に切換え、ステップＳ１７０で出口弁６０を閉鎖状態から開放状態に切換え、ステップＳ１７１で貯水済フラグをオフ状態に設定する。そして、ステップＳ１７２でタイマＴ４の値をリセットし、ステップＳ１７３でタイマＴ４の値の加算結果を給水時間２と比較する。
【００９９】
ＣＰＵはステップＳ１７３でタイマＴ４の値の加算結果が給水時間２に到達したと判断すると、ステップＳ１７４でＩ温度センサ３７からの温度信号を検出し、ステップＳ１７５で温度信号の検出結果を水切れ温度と比較する。ここで温度信号の検出結果が水切れ温度以上であると判断し、ステップＳ１５８〜Ｓ１６４のそれぞれを実行することで給水タンク４４内から脱気容器５８内に水を注入し、ステップＳ１６５〜Ｓ１６８のそれぞれを実行することで脱気容器５８の脱気空間を減圧し、ステップＳ１４５〜Ｓ１４９のそれぞれを行うことで製氷皿３６内から氷を剥離する。
【０１００】
ＣＰＵは製氷皿３６内から氷を剥離すると、ステップＳ１５０〜Ｓ１５４のそれぞれを実行することで脱気容器５８内から製氷皿３６内に脱気済の水を注入する。即ち、通常製氷モードで製氷皿３６内に水および氷がいずれも残されておらず、給水タンク４４内および脱気容器５８内のそれぞれに水が残されている状態で通常製氷モードから透明製氷モードに切換えられた場合には脱気容器５８内から製氷皿３６内に水が注入される。この製氷皿３６内に水が注入された場合には給水タンク４４内から脱気容器５８内に水が注入され、脱気容器５８の脱気空間が減圧される。この脱気空間の減圧は製氷皿３６内から氷が剥離されるまで維持されるものであり、製氷皿３６内から氷が剥離された場合には脱気容器５８内から製氷皿３６内に脱気済の水が注入される。
【０１０１】
通常製氷モードで製氷皿３６内に水および氷がいずれも残されておらず、脱気容器５８内にも水が残されておらず、給水タンク４４内に水が残されている状態で通常製氷モードから透明製氷モードに切換えられた場合にはＣＰＵはステップＳ１７５で温度信号の検出結果が水切れ温度に比べて低いと判断し、ステップＳ１７６で給水ポンプモータ４９を入口弁５５および出口弁６０のそれぞれの開放状態で運転状態に切換える。そして、ステップＳ１７７でタイマＴ１の値をリセットし、ステップＳ１７８でタイマＴ１の値の加算結果を給水時間３と比較する。
【０１０２】
ＣＰＵはステップＳ１７８でタイマＴ１の値の加算結果が給水時間３に到達したと判断すると、ステップＳ１７９でＩ温度センサ３７からの温度信号を検出し、ステップＳ１８０で温度信号の検出結果を水切れ温度と比較する。ここで温度信号の検出結果が水切れ温度以上であると判断し、ステップＳ１５８〜Ｓ１６４のそれぞれを実行することで給水タンク４４内から脱気容器５８内に水を注入し、ステップＳ１６５〜Ｓ１６８のそれぞれを実行することで脱気容器５８の脱気空間を減圧する。
【０１０３】
ＣＰＵは脱気容器５８の脱気空間を減圧すると、ステップＳ１４５〜Ｓ１４９のそれぞれを行うことで製氷皿３６内から氷を剥離し、ステップＳ１５０〜Ｓ１５４のそれぞれを実行することで脱気容器５８内から製氷皿３６内に脱気済の水を注入する。即ち、通常製氷モードで製氷皿３６内に水および氷がいずれも残されておらず、脱気容器５８内にも水が残されておらず、給水タンク４４内に水が残されている状態で通常製氷モードから透明製氷モードに切換えられた場合には給水タンク４４内から製氷皿３６内に水が注入される。この製氷皿３６内に水が注入された場合には給水タンク４４内から脱気容器５８内に水が注入され、脱気容器５８の脱気空間が減圧される。この脱気空間は製氷皿３６内から氷が剥離されるまで減圧状態に維持されるものであり、製氷皿３６内から氷が剥離された場合には脱気容器５８内から製氷皿３６内に脱気済の水が注入される。
【０１０４】
通常製氷モードで製氷皿３６内に水および氷がいずれも残されておらず、給水タンク４４内および脱気容器５８内のそれぞれにも水が残されていない状態で通常製氷モードから透明製氷モードに切換えられた場合にはＣＰＵはステップＳ１８０で温度信号の検出結果が水切れ温度に比べて低いと判断する。そして、ステップＳ１８１で入口弁５５を開放状態から閉鎖状態に切換え、ステップＳ１８２で出口弁６０を開放状態から閉鎖状態に切換え、ステップＳ１８３でＲ扉スイッチ５がオン状態にあるか否かを判断する。
【０１０５】
ＣＰＵはステップＳ１８３でＲ扉スイッチ５がオン状態にあると判断すると、ステップＳ１８４でタイマＴ５の値をリセットし、ステップＳ１８５でタイマＴ５の値の加算結果を給水待ち時間と比較する。ここでタイマＴ５の値の加算結果が給水待ち時間に到達したと判断した場合にはステップＳ１８６で入口弁５５を閉鎖状態から開放状態に切換え、ステップＳ１８７で出口弁６０を閉鎖状態から開放状態に切換える。そして、ステップＳ１７６〜Ｓ１７８のそれぞれを実行することで給水タンク４４内から製氷皿３６内に水を注入し、ステップＳ１７９でＩ温度センサ３７からの温度信号を検出し、ステップＳ１８０で温度信号の検出結果が水切れ温度以上であると判断する。
【０１０６】
ＣＰＵはステップＳ１８０で温度信号の検出結果が水切れ温度以上であると判断すると、ステップＳ１５８〜Ｓ１６４のそれぞれを実行することで給水タンク４４内から脱気容器５８内に水を注入し、ステップＳ１６５〜Ｓ１６８のそれぞれを実行することで脱気容器５８の脱気空間を減圧する。そして、ステップＳ１４５〜Ｓ１４９のそれぞれを実行することで製氷皿３６内から氷を剥離し、ステップＳ１５０〜Ｓ１５４のそれぞれを実行することで脱気容器５８内から製氷皿３６内に脱気済の水を注入する。即ち、通常製氷モードで製氷皿３６内に水および氷がいずれも残されておらず、給水タンク４４内および脱気容器５８内のそれぞれにも水が残されていない状態で通常製氷モードから透明製氷モードに切換えられた場合には使用者がＲドア４を開放状態にして給水タンク４４内に水を補給するまで待機し、使用者が給水タンク４４内に水を補給した後に給水タンク４４内から製氷皿３６内に水が注入される。この製氷皿３６内に水が注入された場合には給水タンク４４内から脱気容器５８内に水が注入され、脱気容器５８の脱気空間が減圧される。この脱気空間は製氷皿３６内から氷が剥離されるまで減圧状態に維持されるものであり、製氷皿３６内から氷が剥離された場合には脱気容器５８内から製氷皿３６内に脱気済の水が注入される。
【０１０７】
上記実施例６によれば次の効果を奏する。
製氷皿３６内に水または氷が残されていると共に脱気容器５８内に水が残されている状態で製氷モードが透明製氷モードから通常製氷モードに切換えられた場合には脱気容器５８の脱気空間を減圧状態に維持し、直前の透明製氷モードでの製氷皿３６内の水が凍結して製氷皿３６内から氷が剥離された場合または直前の透明製氷モードでの製氷皿３６内の氷が製氷皿３６内から剥離された場合に脱気容器５８内の水を製氷皿３６内に注入した。このため、通常製氷モードで脱気容器５８の脱気空間を減圧状態に維持している期間内に製氷モードが再び通常製氷モードから透明製氷モードに切換えられた場合に減圧状態の維持を継続して行うことができるので、脱気容器５８内の水を脱気するための所要時間が短縮される。
【実施例７】
【０１０８】
Ｒドア４の前面には製氷ＯＦＦスイッチが装着されている。この製氷ＯＦＦスイッチは使用者が操作することが可能なものであり、制御回路３０のＣＰＵは製氷ＯＦＦスイッチの操作内容に応じてＲＡＭの製氷ＯＦＦフラグをオン状態およびオフ状態のいずれかに設定する。この製氷ＯＦＦフラグのオフ状態では透明製氷フラグの設定状態に応じて透明製氷処理および通常製氷処理のいずれかを実行し、製氷ＯＦＦフラグのオン状態では透明製氷処理および通常製氷処理のそれぞれを実行することなく図１６の製氷ＯＦＦ処理を実行する。この製氷ＯＦＦフラグのオン状態は製氷停止モードのオン状態に相当し、製氷ＯＦＦフラグのオフ状態は製氷停止モードのオフ状態に相当する。
【０１０９】
図１６の製氷ＯＦＦ処理は制御回路３０のＲＯＭに運転制御プログラムの一部として予め記録されたものであり、ＣＰＵは製氷ＯＦＦフラグがオフ状態からオン状態に切換えられた場合にはステップＳ１９１の初期設定処理で入口弁５５および出口弁６０のそれぞれを閉鎖状態とし、給水ポンプモータ４９および減圧ポンプモータ６４のそれぞれを運転停止状態とする。そして、ステップＳ１９２でＩ温度センサ３７からの温度信号を検出し、ステップＳ１９３で温度信号の検出結果を製氷完了温度と比較する。
【０１１０】
製氷皿３６内に水および氷のいずれかが残されており、脱気容器５８内に水が残されている場合にはＣＰＵはステップＳ１９３で温度信号の検出結果が製氷完了温度以上であると判断し、ステップＳ１９４でＩ温度センサ３７からの温度信号を検出し、ステップＳ１９５で温度信号の検出結果を凍結完了温度と比較する。ここで温度信号の検出結果が凍結完了温度に到達したと判断した場合にはステップＳ１９６へ移行し、タイマＴ１の値の加算結果を製氷完了時間と比較する。このタイマＴ１の値は直前の通常製氷モードまたは直前の透明製氷モードからリセットされることなく継続的に加算されているものであり、ＣＰＵはステップＳ１９６でタイマＴ１の値の加算結果が製氷完了時間に到達したと判断した場合にはステップＳ１９７で検知スイッチ４３がオフ状態にあるか否かを判断する。
【０１１１】
ＣＰＵはステップＳ１９７で検知スイッチ４３がオフ状態にあると判断すると、ステップＳ１９８の離氷処理で製氷皿３６内から氷を剥離する。そして、ステップＳ１９９で入口弁５５を閉鎖状態から開放状態に切換え、ステップＳ２００で出口弁６０を閉鎖状態から開放状態に切換え、ステップＳ２０１で貯水済フラグをオフ状態に設定する。次にステップＳ２０２でタイマＴ４の値をリセットし、ステップＳ２０３でタイマＴ４の値の加算結果を給水時間２と比較する。
【０１１２】
ＣＰＵはステップＳ２０３でタイマＴ４の値の加算結果が給水時間２に到達したと判断すると、ステップＳ２０４でＩ温度センサ３７からの温度信号を検出し、ステップＳ２０５で温度信号の検出結果を水切れ温度と比較する。ここで温度信号の検出結果が水切れ温度以上であると判断し、ステップＳ１９４〜Ｓ１９８のそれぞれを実行することで製氷皿３６内から氷を剥離し、ステップＳ１９９〜Ｓ２０３のそれぞれを実行する。そして、ステップＳ２０４でＩ温度センサ３７からの温度信号を検出し、ステップＳ２０５で温度信号の検出結果を水切れ温度と比較する。
【０１１３】
脱気容器５８は単位量の水が貯留されるものであり、製氷ＯＦＦ処理が開始されてから１回目のステップＳ１９９〜Ｓ２０３で脱気容器５８内の水が製氷皿３６内に注入された場合には脱気容器５８内が空の状態になる。このため、２回目のＣステップＳ１９９〜Ｓ２０３では脱気容器５８内から製氷皿３６内に水が注入されず、ＣＰＵは製氷ＯＦＦ処理が開始されてから２回目のステップＳ２０５で温度信号の検出結果が水切れ温度に比べて低いと判断する。そして、ステップＳ２０６で入口弁５５を開放状態から閉鎖状態に切換え、ステップＳ２０７で出口弁６０を開放状態から閉鎖状態に切換え、製氷ＯＦＦスイッチが操作されることで製氷ＯＦＦフラグがオン状態からオフ状態に切換えられるまで待機する。
【０１１４】
製氷皿３６内に水および氷のいずれかが残されており、脱気容器５８内に水が残されていない場合にはＣＰＵはステップＳ１９３で温度信号の検出結果が製氷完了温度以上であると判断し、ステップＳ１９４〜Ｓ１９８のそれぞれを実行することで製氷皿３６内から氷を剥離し、ステップＳ１９９〜Ｓ２０３のそれぞれを実行する。そして、ステップＳ２０４でＩ温度センサ３７からの温度信号を検出し、ステップＳ２０５で温度信号の検出結果を水切れ温度と比較する。ここで温度信号の検出結果が水切れ温度に比べて低いと判断し、入口弁５５および出口弁６０のそれぞれを開放状態から閉鎖状態に切換え、製氷ＯＦＦスイッチが操作されることで製氷ＯＦＦフラグがオン状態からオフ状態に切換えられるまで待機する。
【０１１５】
製氷皿３６内に水および氷がいずれも残されておらず、脱気容器５８内に水が残されている場合にはＣＰＵはステップＳ１９３で温度信号の検出結果が製氷完了温度に比べて低いと判断し、ステップＳ１９９〜Ｓ２０３のそれぞれを実行することで脱気容器５８内から製氷皿３６内に水を注入する。そして、ステップＳ２０４でＩ温度センサ３７からの温度信号を検出し、ステップＳ２０５で温度信号の検出結果が水切れ温度以上であると判断し、ステップＳ１９４〜Ｓ１９８のそれぞれを実行することで製氷皿３６内から氷を剥離する。
【０１１６】
ＣＰＵは製氷皿３６内から氷を剥離すると、ステップＳ１９９〜Ｓ２０３のそれぞれを実行し、ステップＳ２０４でＩ温度センサ３７からの温度信号を検出し、ステップＳ２０５で温度信号の検出結果を水切れ温度と比較する。この場合にはステップＳ１９９〜Ｓ２０３で脱気容器５８内から製氷皿３６内に水が注入されず、ＣＰＵはステップＳ２０５で温度信号の検出結果が水切れ温度に比べて低いと判断する。そして、入口弁５５および出口弁６０のそれぞれを開放状態から閉鎖状態に切換え、製氷ＯＦＦスイッチが操作されることで製氷ＯＦＦフラグがオン状態からオフ状態に切換えられるまで待機する。
【０１１７】
製氷皿３６内に水および氷がいずれも残されておらず、脱気容器５８内にも水が残されていない場合にはＣＰＵはステップＳ１９３で温度信号の検出結果が製氷完了温度に比べて低いと判断し、ステップＳ１９９〜Ｓ２０３のそれぞれを実行する。そして、ステップＳ２０４でＩ温度センサ３７からの温度信号を検出し、ステップＳ２０５で温度信号の検出結果を水切れ温度と比較する。この場合にはステップＳ１９９〜Ｓ２０３で脱気容器５８内から製氷皿３６内に水が注入されず、ＣＰＵはステップＳ２０５で温度信号の検出結果が水切れ温度に比べて低いと判断する。そして、入口弁５５および出口弁６０のそれぞれを開放状態から閉鎖状態に切換え、製氷ＯＦＦスイッチが操作されることで製氷ＯＦＦフラグがオン状態からオフ状態に切換えられるまで待機する。
【０１１８】
ＣＰＵは製氷ＯＦＦフラグがオン状態からオフ状態に切換えられた場合には透明製氷フラグがオン状態に設定されているか否かを判断し、透明製氷フラグがオン状態に設定されていると判断した場合には図１５の透明製氷処理をステップＳ１４１の初期設定処理から開始し、透明製氷フラグがオフ状態に設定されていると判断した場合には図１４の通常製氷処理をステップＳ１０１の初期設定処理から開始する。
【０１１９】
ＣＰＵは図１５の透明製氷処理のステップＳ１４１で入口弁５５および出口弁６０のそれぞれを閉鎖状態とし、給水ポンプモータ４９および減圧ポンプモータ６４のそれぞれを運転停止状態とする。そして、ステップＳ１４２でＩ温度センサ３７からの温度信号を検出し、ステップＳ１４３で温度信号の検出結果を製氷完了温度と比較する。この場合には製氷皿３６内に水および氷がいずれも残されておらず、ＣＰＵはステップＳ１４３で温度信号の検出結果が製氷完了温度に比べて低いと判断する。
【０１２０】
ＣＰＵはステップＳ１４３で温度信号の検出結果が製氷完了温度に比べて低いと判断すると、ステップＳ１６９〜Ｓ１７３のそれぞれを実行し、ステップＳ１７４でＩ温度センサ３７からの温度信号を検出し、ステップＳ１７５で温度信号の検出結果を水切れ温度と比較する。この場合には脱気容器５８内に水が残されておらず、脱気容器５８内から製氷皿３６内に水が注入されない。このため、ＣＰＵはステップＳ１７５で温度信号の検出結果が水切れ温度に比べて低いと判断し、ステップＳ１７５で給水ポンプモータ４９を入口弁５５および出口弁６０のそれぞれの開放状態で運転状態に切換える。即ち、給水タンク４４内に水が残されている状態で製氷ＯＦＦモードがオフ状態に設定されることで透明製氷処理が開始された場合には給水タンク４４内から製氷皿３６内に水が注入される。この給水タンク４４内から製氷皿３６内に水が注入された場合には給水タンク４４内から脱気容器５８内に水が注入され、脱気容器５８の脱気空間が減圧される。この脱気空間は製氷皿３６内から氷が剥離されるまで減圧状態に維持されるものであり、製氷皿３６内から氷が剥離された場合には脱気容器５８内から製氷皿３６内に脱気済の水が注入される。
【０１２１】
ＣＰＵは図１４の通常製氷処理のステップＳ１０１で入口弁５５および出口弁６０のそれぞれを閉鎖状態とし、給水ポンプモータ４９および減圧ポンプモータ６４のそれぞれを運転停止状態とする。そして、ステップＳ１０２でＩ温度センサ３７からの温度信号を検出し、ステップＳ１０３で温度信号の検出結果を製氷完了温度と比較する。この場合には製氷皿３６内に水および氷がいずれも残されておらず、ＣＰＵはステップＳ１０３で温度信号の検出結果が製氷完了温度に比べて低いと判断する。
【０１２２】
ＣＰＵはステップＳ１０３で温度信号の検出結果が製氷完了温度に比べて低いと判断すると、ステップＳ１０９〜Ｓ１１３のそれぞれを実行し、ステップＳ１１４でＩ温度センサ３７からの温度信号を検出し、ステップＳ１１５で温度信号の検出結果を水切れ温度と比較する。この場合には脱気容器５８内に水が残されておらず、脱気容器５８内から製氷皿３６内に水が注入されない。このため、ＣＰＵはステップＳ１１５で温度信号の検出結果が水切れ温度に比べて低いと判断し、ステップＳ１１６で給水ポンプモータ４９を入口弁５５および出口弁６０のそれぞれの開放状態で運転状態に切換える。即ち、給水タンク４４内に水が残されている状態で製氷ＯＦＦモードがオフ状態に設定されることで通常製氷処理が開始された場合には給水タンク４４内から製氷皿３６内に水が注入され、製氷皿３６内から氷が剥離された場合には給水タンク４４内から製氷皿３６内に水が再び注入される。
【０１２３】
上記実施例７によれば次の効果を奏する。
製氷モードが透明製氷モードに設定されている状態であって製氷皿３６内に水または氷が残されていると共に脱気容器５８内に水が残されている状態で製氷停止モードがオフ状態からオン状態に切換えられた場合には製氷皿３６内の水が凍結して製氷皿３６内から氷が剥離された場合または製氷皿３６内の氷が製氷皿３６内から剥離された場合に脱気容器５８内の水を製氷停止モードのオン状態で製氷皿３６内に注入した。このため、脱気容器５８内に水が残ったままの状態になることがなくなるので、衛生上の不安が解消される。
【０１２４】
製氷皿３６内に水および氷のそれぞれが残されておらずに脱気容器５８内に水が残されていない状態で製氷停止モードがオン状態からオフ状態に切換えられることで透明製氷モードが開始される場合には給水タンク４４内の水を製氷皿３６内に脱気容器５８内を通して注入したので、脱気容器５８内に水を減圧状態で貯留しておくことで脱気するための時間が不要になる。
【実施例８】
【０１２５】
図１７の透明製氷処理は制御回路３０のＣＰＵが図１４の透明製氷処理に換えて実行するものであり、ＣＰＵは製氷ＯＦＦフラグがオン状態からオフ状態に切換えられた時点で透明製氷フラグがオン状態に設定されている場合には図１７の透明製氷処理のステップＳ１７５で温度信号の検出結果が水切れ温度に比べて低いと判断し、ステップＳ２１１の脱気処理へ移行する。
【０１２６】
図１８はステップＳ２１１の脱気処理であり、ＣＰＵはステップＳ２１１で出口弁６０を入口弁５５の開放状態で閉鎖状態に切換え、ステップＳ２１２で減圧ポンプモータ６４を運転停止状態から運転状態に切換え、ステップＳ２１３で給水ポンプモータ４９を運転停止状態から運転状態に切換える。即ち、製氷ＯＦＦフラグがオン状態からオフ状態に切換えられることで透明製氷処理が開始された時点で給水タンク４４内に水が残っている場合には給水タンク４４内から脱気容器５８内に水が注入される。
【０１２７】
ＣＰＵはステップＳ２１３で給水ポンプモータ４９を運転状態にすると、ステップＳ２１４でタイマＴ１の値をリセットし、ステップＳ２１５でタイマＴ１の値の加算結果を給水時間１と比較する。ここでタイマＴ１の値の加算結果が給水時間１に到達したと判断した場合にはステップＳ２１６で給水ポンプモータ４９を運転状態から運転停止状態に切換え、ステップＳ２１７で貯水済フラグをオン状態に設定する。
【０１２８】
ＣＰＵはステップＳ２１７で貯水済フラグをオン状態に設定すると、ステップＳ２１８で入口弁５５を減圧ポンプモータ６４の運転状態で開放状態から閉鎖状態に切換えることで脱気容器５８の脱気空間を減圧開始する。そして、ステップＳ２１９でタイマＴ２の値をリセットし、ステップＳ２２０でタイマＴ２の値の加算結果を減圧時間と比較する。ここでタイマＴ２の値の加算結果が減圧時間に到達したと判断した場合にはステップＳ２２１で減圧ポンプモータ６４を運転状態から運転停止状態に切換え、ステップＳ２２２でＲＡＭのタイマＴ７の値に初期値（０）を設定する。このタイマＴ７の値はＣＰＵがタイマ割込み処理を起動する毎に一定値（１ｓｅｃ）を加算するものであり、ＣＰＵはステップＳ２２２でタイマＴ７の値をリセットした場合にはステップＳ２２３へ移行する。
【０１２９】
ＣＰＵはステップＳ２２３へ移行すると、タイマＴ７の値の加算結果をＲＯＭに予め記録された短脱気時間（１ｈｒ）と比較する。この短脱気時間は製氷完了時間に比べて短く設定されたものであり、ＣＰＵはステップＳ２２３でタイマＴ７の値の加算結果が短脱気時間に到達したと判断した場合にはステップＳ２２４で入口弁５５を閉鎖状態から開放状態に切換え、ステップＳ２２５で出口弁６０を閉鎖状態から開放状態に切換える。そして、ステップＳ２２６で貯水済フラグをオフ状態に設定し、ステップＳ２２７でタイマＴ４の値をリセットし、ステップＳ２２８でタイマＴ４の値の加算結果を給水時間２と比較する。
【０１３０】
ＣＰＵはステップＳ２２８でタイマＴ４の値の加算結果が給水時間２に到達したと判断すると、図１６のステップＳ１７９でＩ温度センサ３７からの温度信号を検出する。即ち、製氷ＯＦＦフラグがオフ状態からオン状態に切換えられることで透明製氷処理が開始された時点で給水タンク４４内に水が残っている場合には脱気容器５８内に水が注入され、脱気容器５８の脱気空間が減圧される。この脱気空間は脱気空間の減圧が停止してから短脱気時間が経過するまで製氷皿３６の空の状態で減圧状態に維持されるものである。この短脱気時間は製氷ＯＦＦフラグがオフ状態からオン状態に切換えられることで透明製氷処理が開始された場合とは異なる通常の脱気時間（図１５のステップＳ１６１でタイマＴ１の値がリセットされてからステップＳ１５０で脱気容器５８の脱気空間が開放されるまでの時間）に比べて短く設定されたものであり、短脱気時間が経過した場合には脱気容器５８内から製氷皿３６内に脱気済の水が注入される。この脱気済の水が製氷皿３６内に注入された場合には給水タンク４４内から脱気容器５８内に水が注入され、脱気容器５８の脱気空間が減圧される。この脱気空間は製氷皿３６から氷が剥離されるまでの通常の脱気時間だけ減圧状態に維持されるものであり、製氷皿３６内から氷が剥離された場合には脱気容器５８内から製氷皿３６内に脱気済の水が注入される。
【０１３１】
上記実施例８によれば次の効果を奏する。
製氷皿３６内に水および氷のそれぞれが残されておらずに脱気容器５８内に水が残されていない状態で製氷停止モードがオン状態からオフ状態に切換えられることで透明製氷モードが開始される場合には脱気容器５８内に水を貯留した状態で脱気空間を減圧状態とし、脱気空間を減圧状態としてから一定の短脱気時間が経過した場合に脱気容器５８内の脱気済の水を製氷皿３６内に注入したので、透明製氷モードが開始された１回目から透明度が高い氷を製氷できる。
【０１３２】
上記実施例８においては、制御回路３０が図１８のステップＳ２２３でタイマＴ７の値の加算結果を製氷完了時間と比較する構成としても良い。
【実施例９】
【０１３３】
図１９の製氷ＯＦＦ処理は制御回路のＣＰＵが図１５の製氷ＯＦＦ処理に換えて実行するものであり、ＣＰＵはステップＳ１９６でタイマＴ１の値の加算結果が製氷完了温度に到達したと判断した場合には検知スイッチ４３の電気的な状態を判断することなくステップＳ１９８の離氷処理で製氷皿３６内から氷を剥離する。
【０１３４】
上記実施例９によれば次の効果を奏する。
製氷停止モードのオフ状態でアイスボックス４０内の氷が満杯高さに到達していると検出されている場合には製氷が終了した場合であっても製氷皿３６内から氷を剥離せず、製氷停止モードのオン状態ではアイスボックス４０内の氷が満杯高さに到達していると検出されているか否かに拘らず製氷が終了した場合に製氷皿３６内から氷を剥離した。このため、製氷停止モードのオン状態ではアイスボックス４０内の氷が満杯高さに到達していると検出されているか否かに拘らず脱気容器５８内から水が全て排出されるので、衛生上の不安が解消される。
上記実施例１〜９のそれぞれにおいては、脱気容器５８の外周面に電気的な熱源を固定しても良い。この構成の場合には減圧ポンプモータ６４を運転状態にすることで脱気容器５８の脱気空間を減圧することに換えて熱源を電気的なオン状態にすることで脱気容器５８内の水を沸点以上の温度に加熱し、脱気容器５８内の水から残留気体を脱気空間に排出すると良い。
【符号の説明】
【０１３５】
１４は製氷室、３０は制御回路（密閉手段，排水手，製氷モード設定手段，製氷停止モード設定手段）、３６は製氷皿、４０はアイスボックス（貯氷容器）、４３は検知スイッチ（スイッチ）、４４は給水タンク（タンク）、４９は給水ポンプモータ（注水器）、５８は脱気容器、６３は減圧ポンプ（減圧器）を示す。
【図１】
0005462045.tif 000002
【図２】
0005462045.tif 000003
【図３】
0005462045.tif 000004
【図４】
0005462045.tif 000005
【図５】
0005462045.tif 000006
【図６】
0005462045.tif 000007
【図７】
0005462045.tif 000008
【図８】
0005462045.tif 000009
【図９】
0005462045.tif 000010
【図１０】
0005462045.tif 000011
【図１１】
0005462045.tif 000012
【図１２】
0005462045.tif 000013
【図１３】
0005462045.tif 000014
【図１４】
0005462045.tif 000015
【図１５】
0005462045.tif 000016
【図１６】
0005462045.tif 000017
【図１７】
0005462045.tif 000018
【図１８】
0005462045.tif 000019
【図１９】
0005462045.tif 000020